(57)【要約】【課題】  地方局等におけるコンテンツ鍵Ｋｃの管理を不要にするとともに、地方局等が主要局等から受信したコンテンツとローカルコンテンツとを切り替える場合にも視聴者側受信機がデスクランブル処理を正しくできるようにする。【解決手段】  地方局１２１が送出するコンテンツを、主要局より受信したネット受コンテンツからローカルコンテンツに切り替える際に、スクランブラ１５において、受信したＥＣＭ情報から次コンテンツのスクランブル鍵情報を抽出し、送出コンテンツを切り替えた直後は、自動番組管理装置１４からの指示に基づき、抽出されたスクランブル鍵Ｋｓを用いてローカルコンテンツをスクランブル処理する。またこのとき、抽出されたスクランブル鍵Ｋｓを含むＥＣＭ情報（ＥＣＭ−Ｋｗ）を生成し、送出コンテンツの切り替え直後に自動番組管理装置１４からの指示によって送出する。【選択図】  図４
2006311341.tif 000002
【特許請求の範囲】
【請求項１】
通信網を介して接続された第１の局と第２の局との間で送出されるコンテンツのスクランブルを制御する送出コンテンツスクランブル制御方法であって、
前記第２の局において送出するコンテンツを、前記第１の局より前記第２の局へ送られる第１のコンテンツから自局が保持する第２のコンテンツに切り替える際に、前記第２の局が前記第１のコンテンツと共に受信したスクランブル鍵情報を含む第１のＥＣＭ情報から、次に送出するコンテンツに対応付けられたスクランブル鍵情報を抽出する鍵情報抽出ステップと、
少なくとも前記第２の局が送出するコンテンツを切り替えた直後は、前記鍵情報抽出ステップで抽出されたスクランブル鍵情報を用いて前記第２のコンテンツをスクランブル処理するスクランブル処理ステップと、
少なくとも前記第２の局が送出するコンテンツを切り替えた直後は、前記第２のコンテンツと共に送出する第２のＥＣＭ情報として、前記鍵情報抽出ステップで抽出されたスクランブル鍵情報を含む第２のＥＣＭ情報を生成するＥＣＭ情報生成ステップと、
を有する送出コンテンツスクランブル制御方法。
【請求項２】
通信網を介して接続された第１の局と第２の局との間で送出されるコンテンツのスクランブルを制御する送出コンテンツスクランブル制御方法であって、
前記第２の局において送出するコンテンツを、自局が保持する第２のコンテンツから前記第１の局より前記第２の局へ送られる第１のコンテンツに切り替える際に、前記第２のコンテンツの送出が終了する前に、前記第１の局からスクランブル鍵情報を含む第１のＥＣＭ情報を受信するＥＣＭ情報受信ステップと、
前記第２の局が送出するコンテンツを切り替える際に、前記ＥＣＭ情報受信ステップで受信した第１のＥＣＭ情報から、次に送出するコンテンツの最初のスクランブルに対応付けられたスクランブル鍵情報を抽出する鍵情報抽出ステップと、
前記第２の局が送出するコンテンツを切り替える前に、前記第２のコンテンツと共に送出する第２のＥＣＭ情報として、前記鍵情報抽出ステップで抽出されたスクランブル鍵情報を含む第２のＥＣＭ情報を生成して送出するＥＣＭ情報送出ステップと、
前記第２の局が送出するコンテンツを切り替えた後は、前記第２の局が前記第１の局から受信した第１のコンテンツ及び第１のＥＣＭ情報を第２の局用に変換して送出する中継ステップと、
を有する送出コンテンツスクランブル制御方法。
【請求項３】
通信網を介して接続された第１の局と第２の局との間で送出されるコンテンツのスクランブルを制御する送出コンテンツスクランブル制御方法であって、
前記第２の局において送出するコンテンツを、前記第１の局より前記第２の局へ送られる第１のコンテンツから自局が保持する第２のコンテンツに切り替える際に、前記第２の局が次に送出するコンテンツに対応付けられるスクランブル鍵情報を特定するための前記第１の局からの通知情報を受信する通知情報受信ステップと、
少なくとも前記第２の局が送出するコンテンツを切り替えた直後は、前記通知情報受信ステップで受信した通知情報によって特定されるスクランブル鍵情報を用いて前記第２のコンテンツをスクランブル処理するスクランブル処理ステップと、
少なくとも前記第２の局が送出するコンテンツを切り替えた直後は、前記第２のコンテンツと共に送出する第２のＥＣＭ情報として、前記通知情報受信ステップで受信した通知情報によって特定されるスクランブル鍵情報を含む第２のＥＣＭ情報を生成するＥＣＭ情報生成ステップと、
を有する送出コンテンツスクランブル制御方法。
【請求項４】
通信網を介して接続された第１の局と第２の局との間で送出されるコンテンツのスクランブルを制御する送出コンテンツスクランブル制御方法であって、
前記第２の局において送出するコンテンツを、自局が保持する第２のコンテンツから前記第１の局より前記第２の局へ送られる第１のコンテンツに切り替える際に、前記コンテンツの切り替え前に、前記第２の局が次に送出するコンテンツの最初のスクランブルに対応付けられるスクランブル鍵情報を特定するための前記第１の局からの通知情報を受信する通知情報受信ステップと、
前記第２の局が送出するコンテンツを切り替える前に、前記第２のコンテンツと共に送出する第２のＥＣＭ情報として、前記通知情報受信ステップで受信した通知情報によって特定されるスクランブル鍵情報を含む第２のＥＣＭ情報を生成して送出するＥＣＭ情報送出ステップと、
前記第２の局が送出するコンテンツを切り替えた後は、前記第２の局が前記第１の局から受信した第１のコンテンツ及び第１のＥＣＭ情報を第２の局用に変換して送出する中継ステップと、
を有する送出コンテンツスクランブル制御方法。
【請求項５】
通信網を介して接続された第１の局と第２の局との間で送出されるコンテンツのスクランブルを制御する送出コンテンツスクランブル制御方法であって、
前記第２の局において送出するコンテンツを、前記第１の局より前記第２の局へ送られる第１のコンテンツから自局が保持する第２のコンテンツに切り替える際に、前記コンテンツの切り替え直後に、前記第２の局が自身でスクランブル鍵情報を生成し、前記第２のコンテンツと共に送出する第２のＥＣＭ情報として、前記生成したスクランブル鍵情報を含む第２のＥＣＭ情報を生成して送出するＥＣＭ情報送出ステップと、
前記第２の局が送出するコンテンツを切り替えた直後の所定期間においては、送出する第２のコンテンツのスクランブルを一時的に解除するスクランブル解除ステップと、
を有する送出コンテンツスクランブル制御方法。
【請求項６】
通信網を介して接続された第１の局と第２の局との間で送出されるコンテンツのスクランブルを制御する送出コンテンツスクランブル制御方法であって、
前記第２の局において送出するコンテンツを、自局が保持する第２のコンテンツから前記第１の局より前記第２の局へ送られる第１のコンテンツに切り替える際に、前記コンテンツの切り替え後は、前記第１の局から受信した第１のＥＣＭ情報を第２の局用に変換して第２のＥＣＭ情報として送出するＥＣＭ情報送出ステップと、
前記第２の局が送出するコンテンツを切り替えた直後の所定期間においては、前記第１の局から受信したスクランブル処理された第１のコンテンツをデスクランブル処理して送出するデスクランブル処理ステップと、
前記第２の局が送出するコンテンツを切り替えた後で前記所定期間を経過した後は、前記第１の局から受信したスクランブル処理された第１のコンテンツを第２の局用に変換して送出するコンテンツ送出ステップと、
を有する送出コンテンツスクランブル制御方法。
【請求項７】
通信網を介して接続された第１の局と第２の局との間で送出されるコンテンツのスクランブルを制御する送出コンテンツスクランブル制御方法であって、
前記第１の局より前記第２の局へ、スクランブル鍵Ｋｓを特定する情報と、そのスクランブル鍵Ｋｓを暗号化した複数のサービスに対応するそれぞれのＥＣＭ情報を１セットの情報として、ノンスクランブル状態のコンテンツと同時に送出するステップと、
前記第２の局において、前記第１の局より送出されるＥＣＭ情報のうち、送出コンテンツのサービスに対応するＥＣＭ情報のみを抽出するステップと、
前記第２の局において、前記抽出したＥＣＭ情報を、第２の局用に変換して送出するステップと、
前記第２の局において、前記第１の局より受信したスクランブル鍵Ｋｓを用いて、送出するコンテンツをスクランブル処理するステップと、
を有する送出コンテンツスクランブル制御方法。
【請求項８】
通信網を介して接続された第１の局と第２の局との間で送出されるコンテンツのスクランブルを制御する送出コンテンツスクランブル制御装置であって、
前記第２の局において送出するコンテンツを、前記第１の局より前記第２の局へ送られる第１のコンテンツから自局が保持する第２のコンテンツに切り替える際に、前記第２の局が前記第１のコンテンツと共に受信したスクランブル鍵情報を含む第１のＥＣＭ情報から、次に送出するコンテンツに対応付けられたスクランブル鍵情報を抽出する鍵情報抽出手段と、
少なくとも前記第２の局が送出するコンテンツを切り替えた直後は、前記鍵情報抽出手段で抽出されたスクランブル鍵情報を用いて前記第２のコンテンツをスクランブル処理するスクランブル処理手段と、
少なくとも前記第２の局が送出するコンテンツを切り替えた直後は、前記第２のコンテンツと共に送出する第２のＥＣＭ情報として、前記鍵情報抽出手段で抽出されたスクランブル鍵情報を含む第２のＥＣＭ情報を生成するＥＣＭ情報生成手段と、
を備える送出コンテンツスクランブル制御装置。
【請求項９】
通信網を介して接続された第１の局と第２の局との間で送出されるコンテンツのスクランブルを制御する送出コンテンツスクランブル制御装置であって、
前記第２の局において送出するコンテンツを、自局が保持する第２のコンテンツから前記第１の局より前記第２の局へ送られる第１のコンテンツに切り替える際に、前記第２のコンテンツの送出が終了する前に、前記第１の局からスクランブル鍵情報を含む第１のＥＣＭ情報を受信するＥＣＭ情報受信手段と、
前記第２の局が送出するコンテンツを切り替える際に、前記ＥＣＭ情報受信手段で受信した第１のＥＣＭ情報から、次に送出するコンテンツの最初のスクランブルに対応付けられたスクランブル鍵情報を抽出する鍵情報抽出手段と、
前記第２の局が送出するコンテンツを切り替える前に、前記第２のコンテンツと共に送出する第２のＥＣＭ情報として、前記鍵情報抽出手段で抽出されたスクランブル鍵情報を含む第２のＥＣＭ情報を生成して送出するＥＣＭ情報送出手段と、
前記第２の局が送出するコンテンツを切り替えた後は、前記第２の局が前記第１の局から受信した第１のコンテンツ及び第１のＥＣＭ情報を第２の局用に変換して送出する中継手段と、
を備える送出コンテンツスクランブル制御装置。
【請求項１０】
通信網を介して接続された第１の局と第２の局との間で送出されるコンテンツのスクランブルを制御する送出コンテンツスクランブル制御装置であって、
前記第２の局において送出するコンテンツを、前記第１の局より前記第２の局へ送られる第１のコンテンツから自局が保持する第２のコンテンツに切り替える際に、前記第２の局が次に送出するコンテンツに対応付けられるスクランブル鍵情報を特定するための前記第１の局からの通知情報を受信する通知情報受信手段と、
少なくとも前記第２の局が送出するコンテンツを切り替えた直後は、前記通知情報受信手段で受信した通知情報によって特定されるスクランブル鍵情報を用いて前記第２のコンテンツをスクランブル処理するスクランブル処理手段と、
少なくとも前記第２の局が送出するコンテンツを切り替えた直後は、前記第２のコンテンツと共に送出する第２のＥＣＭ情報として、前記通知情報受信手段で受信した通知情報によって特定されるスクランブル鍵情報を含む第２のＥＣＭ情報を生成するＥＣＭ情報生成手段と、
を備える送出コンテンツスクランブル制御装置。
【請求項１１】
通信網を介して接続された第１の局と第２の局との間で送出されるコンテンツのスクランブルを制御する送出コンテンツスクランブル制御装置であって、
前記第２の局において送出するコンテンツを、自局が保持する第２のコンテンツから前記第１の局より前記第２の局へ送られる第１のコンテンツに切り替える際に、前記コンテンツを切り替える前に、前記第２の局が次に送出するコンテンツの最初のスクランブルに対応付けられるスクランブル鍵情報を特定するための前記第１の局からの通知情報を受信する通知情報受信手段と、
前記第２の局が送出するコンテンツを切り替える前に、前記第２のコンテンツと共に送出する第２のＥＣＭ情報として、前記通知情報受信手段で受信した通知情報によって特定されるスクランブル鍵情報を含む第２のＥＣＭ情報を生成して送出するＥＣＭ情報送出手段と、
前記第２の局が送出するコンテンツを切り替えた後は、前記第２の局が前記第１の局から受信した第１のコンテンツ及び第１のＥＣＭ情報を第２の局用に変換して送出する中継手段と、
を備える送出コンテンツスクランブル制御装置。
【請求項１２】
通信網を介して接続された第１の局と第２の局との間で送出されるコンテンツのスクランブルを制御する送出コンテンツスクランブル制御装置であって、
前記第２の局において送出するコンテンツを、前記第１の局より前記第２の局へ送られる第１のコンテンツから自局が保持する第２のコンテンツに切り替える際に、前記コンテンツの切り替え直後に、前記第２の局が自身でスクランブル鍵情報を生成し、前記第２のコンテンツと共に送出する第２のＥＣＭ情報として、前記生成したスクランブル鍵情報を含む第２のＥＣＭ情報を生成して送出するＥＣＭ情報送出手段と、
前記第２の局が送出するコンテンツを切り替えた直後の所定期間においては、送出する第２のコンテンツのスクランブルを一時的に解除するスクランブル解除手段と、
を備える送出コンテンツスクランブル制御装置。
【請求項１３】
通信網を介して接続された第１の局と第２の局との間で送出されるコンテンツのスクランブルを制御する送出コンテンツスクランブル制御装置であって、
前記第２の局において送出するコンテンツを、自局が保持する第２のコンテンツから前記第１の局より前記第２の局へ送られる第１のコンテンツに切り替える際に、前記コンテンツの切り替え後は、前記第１の局から受信した第１のＥＣＭ情報を第２の局用に変換して第２のＥＣＭ情報として送出するＥＣＭ情報送出手段と、
前記第２の局が送出するコンテンツを切り替えた直後の所定期間においては、前記第１の局から受信したスクランブル処理された第１のコンテンツをデスクランブル処理して送出するデスクランブル処理手段と、
前記第２の局が送出するコンテンツを切り替えた後で前記所定期間を経過した後は、前記第１の局から受信したスクランブル処理された第１のコンテンツを第２の局用に変換して送出するコンテンツ送出手段と、
を備える送出コンテンツスクランブル制御装置。
【請求項１４】
通信網を介して接続された第１の局と第２の局との間で送出されるコンテンツのスクランブルを制御する送出コンテンツスクランブル制御装置であって、
前記第１の局より前記第２の局へ、スクランブル鍵Ｋｓを特定する情報と、そのスクランブル鍵Ｋｓを暗号化した複数のサービスに対応するそれぞれのＥＣＭ情報を１セットの情報として、ノンスクランブル状態のコンテンツと同時に送出する手段と、
前記第２の局において、前記第１の局より送出されるＥＣＭ情報のうち、送出コンテンツのサービスに対応するＥＣＭ情報のみを抽出する手段と、
前記第２の局において、前記抽出したＥＣＭ情報を、第２の局用に変換して送出する手段と、
前記第２の局において、前記第１の局より受信したスクランブル鍵Ｋｓを用いて、送出するコンテンツをスクランブル処理する手段と、
を備える送出コンテンツスクランブル制御装置。
【請求項１５】
コンピュータに、請求項１ないし７のいずれかに記載の送出コンテンツスクランブル制御方法の各手順を実行させるためのプログラム。
【発明の詳細な説明】
【技術分野】
【０００１】
本発明は、サーバ型放送サービス等、ディジタル放送におけるコンテンツ著作権保護のためのスクランブル処理に関し、所定の通信網を介してコンテンツを送出する通信システムに用いられる送出コンテンツスクランブル制御方法及び装置、並びにプログラムに関する。
【背景技術】
【０００２】
現行のディジタル放送では、放送局は映像や音楽などの視聴用コンテンツを提供するコンテンツ提供者の権利を保護する観点からコンテンツにスクランブル処理を行ってから電波に乗せて放送している。これにより、コンテンツの権利保護が可能な受信機のみがデスクランブルを行いコンテンツを再生できる。従って、放送されたコンテンツの不正な複製を防止することが可能になる。
【０００３】
このようなスクランブルの技術については、ＡＲＩＢ（社団法人電波産業会）で標準規格（ＳＴＤ−Ｂ２５）や技術資料（ＴＲ−Ｂ１４）に記載された限定受信方式が一般的に用いられている。
【０００４】
スクランブル処理を実現するために、主にスクランブラと、ＥＣＭ（Entitlement Control Message ）を生成、送出するＥＣＭ生成送出装置とが用いられている。スクランブラは、スクランブル鍵Ｋｓを用いてコンテンツの情報を処理し、コンテンツに対してスクランブルをかける。ＥＣＭ生成送出装置は、スクランブル鍵Ｋｓを含む情報をワーク鍵Ｋｗで暗号化した制御用メッセージＥＣＭを生成し送出する。
【０００５】
なお、コンテンツのスクランブル処理に使用される暗号化鍵であるスクランブル鍵Ｋｓは、例えば、数秒程度の間隔で自動的に変更されるようになっている。これにより、権利を持たない受信者がスクランブル化コンテンツを不正に受信して復号しようとする不正受信に対してセキュリティ強度が高まる。また、送出する制御用メッセージＥＣＭには、放送中コンテンツの現在のスクランブルに使用されているＫｓと、数秒後のスクランブルに使用される予定の次のＫｓとの２つを含めて同時に送信するようになっている。これにより、受信機でのデスクランブル処理をスムーズに行うことを実現している。
【０００６】
現在の地上波ディジタル放送においては、全てのコンテンツについて、電波として送出する放送局が権利保護用のＥＣＭ生成送出処理及びスクランブル処理を行うしくみで運用されている。
【０００７】
ところで、テレビなどの放送を行う放送局は多数存在しており、いくつかの主要局（キー局）と多数の地方局とが所定の通信網を介して接続されている。従って、例えばある主要局で制作された番組のコンテンツがこの主要局から通信網を介して各地方局に配信され、受信した地方局がそれぞれ受信したコンテンツを電波に乗せて放送することになる。このような場合、主要局から地方局に送出するコンテンツについてはスクランブルをかけない状態で伝送し、受信した地方局がコンテンツを電波に乗せて放送する際に、権利保護用のスクランブル処理を行い、ＥＣＭ生成送出処理も行う。
【０００８】
なお、コンテンツ保護を伴う無料番組放送については、ＥＣＭを暗号化するワーク鍵Ｋｗは権利保護共用の情報として管理され運用されているため、ワーク鍵Ｋｗを多数管理する必要はなく、各放送局でＥＣＭ生成、送出しても、大きな負担にはなっていない。
【０００９】
ところで、前述の地方局などにおいては、主要局が作成したコンテンツを受信して放送するだけでなく、自局でもローカル番組のコンテンツを作成し放送している。従って、地方局のような放送局においては、通信網を介して他の局から受信した第１のコンテンツと自局が作成した第２のコンテンツとを逐次切り替えて放送用に送出する必要がある。
【００１０】
このようなコンテンツの切替に関する従来技術として、特許文献１に開示された技術が知られている。但し、特許文献１の技術ではコンテンツのスクランブルは全く考慮されていない。
【００１１】
また、次世代の放送サービスとしてサーバ型放送サービスが注目されている。このサーバ型放送サービスについては、より多様なコンテンツ保護を実現する必要があるため、前述の制御用メッセージＥＣＭをコンテンツ毎に個別の鍵であるコンテンツ鍵Ｋｃを用いて暗号化する方向で規格化が進められている。
【００１２】
このようなサーバ型放送サービスを実施する場合、放送するコンテンツ毎に異なるコンテンツ鍵Ｋｃを利用しなければならないので、コンテンツ鍵Ｋｃを管理するための大規模な管理装置が必要になるのは避けられない。従って、これまで通りコンテンツを電波として送出する地方局などの放送局が全番組のスクランブル処理を行い、ＥＣＭを生成、送出しようとすると、各地方局は新たに大規模な管理装置を導入する必要がある。更に、自局でサーバ型放送用コンテンツを制作せずに、主要局から受信したコンテンツだけを中継して放送しようとする小規模な放送局であっても、大規模な設備導入が必要になってしまう。
【００１３】
そこで、サーバ型放送サービスを実施する場合には、コンテンツを提供する主要局側でコンテンツのスクランブル処理を行うと共に、サーバ型放送用のＥＣＭをコンテンツ鍵Ｋｃで暗号化してＥＣＭ−Ｋｃとして送出し、地方局などの受信局では受信したスクランブルコンテンツとＥＣＭ−Ｋｃを必要に応じてＰＩＤのみ地方局用に変換して放送することが考えられる。これにより、地方局などの受信局はコンテンツ鍵Ｋｃの管理を行う必要がなくなり、小規模な放送局における大規模な設備導入を避けることができる。
【００１４】
【特許文献１】特開２００３−２４４５９０号公報
【発明の開示】
【発明が解決しようとする課題】
【００１５】
しかしながら、上記のように主要局側でコンテンツのスクランブル処理を行う場合には、地方局などの受信局において、次に説明するような問題が発生する。
【００１６】
視聴者側の受信局におけるデスクランブル（スクランブルを復元する操作）処理のスムーズな実施を可能にするため、送出される制御用メッセージＥＣＭには、前述のようにコンテンツの現在のスクランブルに使用されているスクランブル鍵Ｋｓ（１）と、数秒後のスクランブルに使用される予定の次のスクランブル鍵Ｋｓ（２）との２つが含めてある。このため、主要局側でコンテンツのスクランブル処理を行った場合、地方局などの受信局が主要局から受信した第１のコンテンツと自局で制作した第２のコンテンツ（ローカルコンテンツ）とを単純に切り替えることができない。すなわち、第１のコンテンツと第２のコンテンツとを切り替える際にコンテンツのつながりが途絶えることになり、地方局が送出すべき制御用メッセージＥＣＭに含める２つの時系列のスクランブル鍵Ｋｓ（１）、Ｋｓ（２）と実際に送出するコンテンツのスクランブルとの整合性を維持するのが困難である。
【００１７】
本発明は、上記事情に鑑みてなされたもので、通信網に接続された主要局などの第１の局から受信した番組だけを放送する地方局などの第２の局におけるコンテンツ鍵Ｋｃの管理を不要にするとともに、第２の局が第１の局から受信したコンテンツとローカルコンテンツとを切り替える場合であっても、視聴者側の受信機におけるデスクランブル処理を正しく行うことが可能な送出コンテンツスクランブル制御方法及び装置、並びにプログラムを提供することを目的とする。
【課題を解決するための手段】
【００１８】
本発明の送出コンテンツスクランブル制御方法は、通信網を介して接続された第１の局と第２の局との間で送出されるコンテンツのスクランブルを制御する送出コンテンツスクランブル制御方法であって、前記第２の局において送出するコンテンツを、前記第１の局より前記第２の局へ送られる第１のコンテンツから自局が保持する第２のコンテンツに切り替える際に、前記第２の局が前記第１のコンテンツと共に受信したスクランブル鍵情報を含む第１のＥＣＭ情報から、次に送出するコンテンツに対応付けられたスクランブル鍵情報を抽出する鍵情報抽出ステップと、少なくとも前記第２の局が送出するコンテンツを切り替えた直後は、前記鍵情報抽出ステップで抽出されたスクランブル鍵情報を用いて前記第２のコンテンツをスクランブル処理するスクランブル処理ステップと、少なくとも前記第２の局が送出するコンテンツを切り替えた直後は、前記第２のコンテンツと共に送出する第２のＥＣＭ情報として、前記鍵情報抽出ステップで抽出されたスクランブル鍵情報を含む第２のＥＣＭ情報を生成するＥＣＭ情報生成ステップと、を有するものである。
【００１９】
この発明では、第１の局は自局が保持する第１のコンテンツをスクランブル鍵情報を含む第１のＥＣＭ情報とともに前記第２の局宛に送出し、第２の局は自局が保持する第２のコンテンツと前記第１の局から送出された第１のコンテンツとを逐次切り替えて、スクランブル処理された第１のコンテンツ又は第２のコンテンツをスクランブル鍵情報を含む第２のＥＣＭ情報とともに送出する通信システムを利用し、送出コンテンツのスクランブルを制御する際、第２の局が送出するコンテンツを第１のコンテンツから第２のコンテンツに切り替えた直後は、鍵情報抽出ステップで第１のＥＣＭ情報から抽出されたスクランブル鍵情報を用いてスクランブル処理を行い、更にこのスクランブル鍵情報を送出する第２のＥＣＭ情報に含めるので、コンテンツ切替時であっても実際のスクランブル処理に用いるスクランブル鍵情報と第２のＥＣＭ情報との整合性を維持することができる。よって、通信網に接続された第１の局から受信した番組だけを放送する第２の局におけるコンテンツ鍵Ｋｃの管理を不要にするとともに、第２の局が第１の局から受信したコンテンツとローカルコンテンツとを切り替える場合であっても、視聴者側の受信機におけるデスクランブル処理を正しく行うことが可能となる。
【００２０】
また、本発明の送出コンテンツスクランブル制御方法は、通信網を介して接続された第１の局と第２の局との間で送出されるコンテンツのスクランブルを制御する送出コンテンツスクランブル制御方法であって、前記第２の局において送出するコンテンツを、自局が保持する第２のコンテンツから前記第１の局より前記第２の局へ送られる第１のコンテンツに切り替える際に、前記第２のコンテンツの送出が終了する前に、前記第１の局からスクランブル鍵情報を含む第１のＥＣＭ情報を受信するＥＣＭ情報受信ステップと、前記第２の局が送出するコンテンツを切り替える際に、前記ＥＣＭ情報受信ステップで受信した第１のＥＣＭ情報から、次に送出するコンテンツの最初のスクランブルに対応付けられたスクランブル鍵情報を抽出する鍵情報抽出ステップと、前記第２の局が送出するコンテンツを切り替える前に、前記第２のコンテンツと共に送出する第２のＥＣＭ情報として、前記鍵情報抽出ステップで抽出されたスクランブル鍵情報を含む第２のＥＣＭ情報を生成して送出するＥＣＭ情報送出ステップと、前記第２の局が送出するコンテンツを切り替えた後は、前記第２の局が前記第１の局から受信した第１のコンテンツ及び第１のＥＣＭ情報を第２の局用に変換して送出する中継ステップと、を有するものである。
【００２１】
この発明では、第２の局が送出するコンテンツを第２のコンテンツから第１のコンテンツに切り替える前に、次の第１のコンテンツを送出する際に最初に適用すべきスクランブル鍵の情報を鍵情報抽出ステップで取得することができ、この情報を第２のＥＣＭ情報としてＥＣＭ情報送出ステップで送出することができる。従って、次に送出する第１のコンテンツがサーバ型放送サービス対象である場合、主要局のように第１のコンテンツを発信する発信局（第１の局）は第１のコンテンツをスクランブル処理されたストリームとして送出すればよく、地方局のように第１のコンテンツを受信する受信局（第２の局）では受信したストリームを第１のＥＣＭ情報と共に必要に応じてＰＩＤのみ受信局用に変換して送出すれば、地方局もサーバ型放送サービスを実施できる。しかも、現在のスクランブル処理に適用するスクランブル鍵Ｋｓと次の時点のスクランブル処理に適用するスクランブル鍵Ｋｓとを含めた状態で放送することができるので、視聴者側の受信機が受信したコンテンツのデスクランブル処理を実施する際にスムーズな処理を実現できる。
【００２２】
また、本発明の送出コンテンツスクランブル制御方法は、通信網を介して接続された第１の局と第２の局との間で送出されるコンテンツのスクランブルを制御する送出コンテンツスクランブル制御方法であって、前記第２の局において送出するコンテンツを、前記第１の局より前記第２の局へ送られる第１のコンテンツから自局が保持する第２のコンテンツに切り替える際に、前記第２の局が次に送出するコンテンツに対応付けられるスクランブル鍵情報を特定するための前記第１の局からの通知情報を受信する通知情報受信ステップと、少なくとも前記第２の局が送出するコンテンツを切り替えた直後は、前記通知情報受信ステップで受信した通知情報によって特定されるスクランブル鍵情報を用いて前記第２のコンテンツをスクランブル処理するスクランブル処理ステップと、少なくとも前記第２の局が送出するコンテンツを切り替えた直後は、前記第２のコンテンツと共に送出する第２のＥＣＭ情報として、前記通知情報受信ステップで受信した通知情報によって特定されるスクランブル鍵情報を含む第２のＥＣＭ情報を生成するＥＣＭ情報生成ステップと、を有するものである。
【００２３】
この発明では、第２の局が送出するコンテンツを第１のコンテンツから第２のコンテンツに切り替える際に、次のコンテンツの最初のスクランブル処理に適用すべきスクランブル鍵を、第１の局から送られる通知情報によって特定し、このスクランブル鍵を用いて第２のコンテンツをスクランブル処理するので、第１の局と第２の局とが各タイミングで同じスクランブル鍵を使用することができる。よって、現在のスクランブル処理に適用するスクランブル鍵と次の時点のスクランブル処理に適用するスクランブル鍵とを含めたＥＣＭ情報を送出する場合であっても、第１のコンテンツから第２のコンテンツへ切り替える際に、実際のスクランブル処理に適用するスクランブル鍵と送出されるＥＣＭ情報の内容との整合性を維持することができ、視聴者側の受信機が受信したコンテンツのデスクランブル処理を実施する際にスムーズな処理を実現できる。
【００２４】
また、本発明の送出コンテンツスクランブル制御方法は、通信網を介して接続された第１の局と第２の局との間で送出されるコンテンツのスクランブルを制御する送出コンテンツスクランブル制御方法であって、前記第２の局において送出するコンテンツを、自局が保持する第２のコンテンツから前記第１の局より前記第２の局へ送られる第１のコンテンツに切り替える際に、前記コンテンツの切り替え前に、前記第２の局が次に送出するコンテンツの最初のスクランブルに対応付けられるスクランブル鍵情報を特定するための前記第１の局からの通知情報を受信する通知情報受信ステップと、前記第２の局が送出するコンテンツを切り替える前に、前記第２のコンテンツと共に送出する第２のＥＣＭ情報として、前記通知情報受信ステップで受信した通知情報によって特定されるスクランブル鍵情報を含む第２のＥＣＭ情報を生成して送出するＥＣＭ情報送出ステップと、前記第２の局が送出するコンテンツを切り替えた後は、前記第２の局が前記第１の局から受信した第１のコンテンツ及び第１のＥＣＭ情報を第２の局用に変換して送出する中継ステップと、を有するものである。
【００２５】
この発明では、第２の局が送出するコンテンツを第２のコンテンツから第１のコンテンツに切り替える前に、次のコンテンツの最初のスクランブル処理に適用すべきスクランブル鍵を、第１の局から送られる通知情報によって特定し、このスクランブル鍵を用いて第１のコンテンツをスクランブル処理するので、第１の局と第２の局とが各タイミングで同じスクランブル鍵を使用することができる。よって、現在のスクランブル処理に適用するスクランブル鍵と次の時点のスクランブル処理に適用するスクランブル鍵とを含めたＥＣＭ情報を送出する場合であっても、第２のコンテンツから第１のコンテンツへ切り替える際に、実際のスクランブル処理に適用するスクランブル鍵と送出されるＥＣＭ情報の内容との整合性を維持することができ、視聴者側の受信機が受信したコンテンツのデスクランブル処理を実施する際にスムーズな処理を実現できる。
【００２６】
また、本発明の送出コンテンツスクランブル制御方法は、通信網を介して接続された第１の局と第２の局との間で送出されるコンテンツのスクランブルを制御する送出コンテンツスクランブル制御方法であって、前記第２の局において送出するコンテンツを、前記第１の局より前記第２の局へ送られる第１のコンテンツから自局が保持する第２のコンテンツに切り替える際に、前記コンテンツの切り替え直後に、前記第２の局が自身でスクランブル鍵情報を生成し、前記第２のコンテンツと共に送出する第２のＥＣＭ情報として、前記生成したスクランブル鍵情報を含む第２のＥＣＭ情報を生成して送出するＥＣＭ情報送出ステップと、前記第２の局が送出するコンテンツを切り替えた直後の所定期間においては、送出する第２のコンテンツのスクランブルを一時的に解除するスクランブル解除ステップと、を有するものである。
【００２７】
この発明では、第２の局が送出するコンテンツを第１のコンテンツから第２のコンテンツに切り替えた後で、第２の局が自分でスクランブル鍵情報を生成するので、第１のコンテンツに対するスクランブル処理と第２のコンテンツに対するスクランブル処理とを切り離して独立したスクランブル鍵で処理することができる。ここで、スクランブル解除ステップにおいて、第２の局が送出するコンテンツを第１のコンテンツから第２のコンテンツに切り替えた直後の所定期間については、送出する第２のコンテンツのスクランブルを一時的に解除し、ノンスクランブル状態のコンテンツを送出することにより、スクランブル鍵とＥＣＭ情報の内容との不整合の問題を解消できる。
【００２８】
また、本発明の送出コンテンツスクランブル制御方法は、通信網を介して接続された第１の局と第２の局との間で送出されるコンテンツのスクランブルを制御する送出コンテンツスクランブル制御方法であって、前記第２の局において送出するコンテンツを、自局が保持する第２のコンテンツから前記第１の局より前記第２の局へ送られる第１のコンテンツに切り替える際に、前記コンテンツの切り替え後は、前記第１の局から受信した第１のＥＣＭ情報を第２の局用に変換して第２のＥＣＭ情報として送出するＥＣＭ情報送出ステップと、前記第２の局が送出するコンテンツを切り替えた直後の所定期間においては、前記第１の局から受信したスクランブル処理された第１のコンテンツをデスクランブル処理して送出するデスクランブル処理ステップと、前記第２の局が送出するコンテンツを切り替えた後で前記所定期間を経過した後は、前記第１の局から受信したスクランブル処理された第１のコンテンツを第２の局用に変換して送出するコンテンツ送出ステップと、を有するものである。
【００２９】
この発明では、デスクランブル処理ステップにおいて、第２の局が送出するコンテンツを第２のコンテンツから第１のコンテンツに切り替えた直後の所定期間については、第１の局から受信したスクランブル処理された第１のコンテンツをデスクランブル処理した結果、すなわちノンスクランブル状態のコンテンツを送出する。そして、前記所定期間を経過した後は、第１の局から受信したスクランブル処理された第１のコンテンツを第２の局が必要に応じてＰＩＤのみ第２の局用に変換して送出する。これにより、スクランブル鍵とＥＣＭ情報の内容との不整合の問題を解消できる。
【００３０】
また、本発明の送出コンテンツスクランブル制御方法は、通信網を介して接続された第１の局と第２の局との間で送出されるコンテンツのスクランブルを制御する送出コンテンツスクランブル制御方法であって、前記第１の局より前記第２の局へ、スクランブル鍵Ｋｓを特定する情報と、そのスクランブル鍵Ｋｓを暗号化した複数のサービスに対応するそれぞれのＥＣＭ情報を１セットの情報として、ノンスクランブル状態のコンテンツと同時に送出するステップと、前記第２の局において、前記第１の局より送出されるＥＣＭ情報のうち、送出コンテンツのサービスに対応するＥＣＭ情報のみを抽出するステップと、前記第２の局において、前記抽出したＥＣＭ情報を、第２の局用に変換して送出するステップと、前記第２の局において、前記第１の局より受信したスクランブル鍵Ｋｓを用いて、送出するコンテンツをスクランブル処理するステップと、を有するものである。
【００３１】
この発明では、第１の局で常にスクランブル鍵Ｋｓを特定する情報と、そのスクランブル鍵Ｋｓを暗号化した複数のサービスに対応するそれぞれのＥＣＭ情報を送出し続け、その連続性を保証することで、第２の局では必要なＥＣＭ情報のみ抽出して送出すると同時に、第１の局で指定されたそのＥＣＭ情報とセットのスクランブル鍵Ｋｓを用いてコンテンツのスクランブル処理を行う。これにより、スクランブル鍵とＥＣＭ情報の内容との不整合の問題を解消できる。
【００３２】
本発明の送出コンテンツスクランブル制御装置は、通信網を介して接続された第１の局と第２の局との間で送出されるコンテンツのスクランブルを制御する送出コンテンツスクランブル制御装置であって、前記第２の局において送出するコンテンツを、前記第１の局より前記第２の局へ送られる第１のコンテンツから自局が保持する第２のコンテンツに切り替える際に、前記第２の局が前記第１のコンテンツと共に受信したスクランブル鍵情報を含む第１のＥＣＭ情報から、次に送出するコンテンツに対応付けられたスクランブル鍵情報を抽出する鍵情報抽出手段と、少なくとも前記第２の局が送出するコンテンツを切り替えた直後は、前記鍵情報抽出手段で抽出されたスクランブル鍵情報を用いて前記第２のコンテンツをスクランブル処理するスクランブル処理手段と、少なくとも前記第２の局が送出するコンテンツを切り替えた直後は、前記第２のコンテンツと共に送出する第２のＥＣＭ情報として、前記鍵情報抽出手段で抽出されたスクランブル鍵情報を含む第２のＥＣＭ情報を生成するＥＣＭ情報生成手段と、を備えるものである。
【００３３】
これにより、通信網に接続された第１の局から受信した番組だけを放送する第２の局におけるコンテンツ鍵Ｋｃの管理を不要にするとともに、第２の局が第１の局から受信したコンテンツとローカルコンテンツとを切り替える場合であっても、視聴者側の受信機におけるデスクランブル処理を正しく行うことが可能となる。
【００３４】
また、本発明の送出コンテンツスクランブル制御装置は、通信網を介して接続された第１の局と第２の局との間で送出されるコンテンツのスクランブルを制御する送出コンテンツスクランブル制御装置であって、前記第２の局において送出するコンテンツを、自局が保持する第２のコンテンツから前記第１の局より前記第２の局へ送られる第１のコンテンツに切り替える際に、前記第２のコンテンツの送出が終了する前に、前記第１の局からスクランブル鍵情報を含む第１のＥＣＭ情報を受信するＥＣＭ情報受信手段と、前記第２の局が送出するコンテンツを切り替える際に、前記ＥＣＭ情報受信手段で受信した第１のＥＣＭ情報から、次に送出するコンテンツの最初のスクランブルに対応付けられたスクランブル鍵情報を抽出する鍵情報抽出手段と、前記第２の局が送出するコンテンツを切り替える前に、前記第２のコンテンツと共に送出する第２のＥＣＭ情報として、前記鍵情報抽出手段で抽出されたスクランブル鍵情報を含む第２のＥＣＭ情報を生成して送出するＥＣＭ情報送出手段と、前記第２の局が送出するコンテンツを切り替えた後は、前記第２の局が前記第１の局から受信した第１のコンテンツ及び第１のＥＣＭ情報を第２の局用に変換して送出する中継手段と、を備えるものである。
【００３５】
これにより、通信網に接続された第１の局から受信した番組だけを放送する第２の局におけるコンテンツ鍵Ｋｃの管理を不要にするとともに、第２の局が第１の局から受信したコンテンツとローカルコンテンツとを切り替える場合であっても、視聴者側の受信機におけるデスクランブル処理を正しく行うことが可能となる。
【００３６】
また、本発明の送出コンテンツスクランブル制御装置は、通信網を介して接続された第１の局と第２の局との間で送出されるコンテンツのスクランブルを制御する送出コンテンツスクランブル制御装置であって、前記第２の局において送出するコンテンツを、前記第１の局より前記第２の局へ送られる第１のコンテンツから自局が保持する第２のコンテンツに切り替える際に、前記第２の局が次に送出するコンテンツに対応付けられるスクランブル鍵情報を特定するための前記第１の局からの通知情報を受信する通知情報受信手段と、少なくとも前記第２の局が送出するコンテンツを切り替えた直後は、前記通知情報受信手段で受信した通知情報によって特定されるスクランブル鍵情報を用いて前記第２のコンテンツをスクランブル処理するスクランブル処理手段と、少なくとも前記第２の局が送出するコンテンツを切り替えた直後は、前記第２のコンテンツと共に送出する第２のＥＣＭ情報として、前記通知情報受信手段で受信した通知情報によって特定されるスクランブル鍵情報を含む第２のＥＣＭ情報を生成するＥＣＭ情報生成手段と、を備えるものである。
【００３７】
これにより、通信網に接続された第１の局から受信した番組だけを放送する第２の局におけるコンテンツ鍵Ｋｃの管理を不要にするとともに、第２の局が第１の局から受信したコンテンツとローカルコンテンツとを切り替える場合であっても、視聴者側の受信機におけるデスクランブル処理を正しく行うことが可能となる。
【００３８】
また、本発明の送出コンテンツスクランブル制御装置は、通信網を介して接続された第１の局と第２の局との間で送出されるコンテンツのスクランブルを制御する送出コンテンツスクランブル制御装置であって、前記第２の局において送出するコンテンツを、自局が保持する第２のコンテンツから前記第１の局より前記第２の局へ送られる第１のコンテンツに切り替える際に、前記コンテンツを切り替える前に、前記第２の局が次に送出するコンテンツの最初のスクランブルに対応付けられるスクランブル鍵情報を特定するための前記第１の局からの通知情報を受信する通知情報受信手段と、前記第２の局が送出するコンテンツを切り替える前に、前記第２のコンテンツと共に送出する第２のＥＣＭ情報として、前記通知情報受信手段で受信した通知情報によって特定されるスクランブル鍵情報を含む第２のＥＣＭ情報を生成して送出するＥＣＭ情報送出手段と、前記第２の局が送出するコンテンツを切り替えた後は、前記第２の局が前記第１の局から受信した第１のコンテンツ及び第１のＥＣＭ情報を第２の局用に変換して送出する中継手段と、を備えるものである。
【００３９】
これにより、通信網に接続された第１の局から受信した番組だけを放送する第２の局におけるコンテンツ鍵Ｋｃの管理を不要にするとともに、第２の局が第１の局から受信したコンテンツとローカルコンテンツとを切り替える場合であっても、視聴者側の受信機におけるデスクランブル処理を正しく行うことが可能となる。
【００４０】
また、本発明の送出コンテンツスクランブル制御装置は、通信網を介して接続された第１の局と第２の局との間で送出されるコンテンツのスクランブルを制御する送出コンテンツスクランブル制御装置であって、前記第２の局において送出するコンテンツを、前記第１の局より前記第２の局へ送られる第１のコンテンツから自局が保持する第２のコンテンツに切り替える際に、前記コンテンツの切り替え直後に、前記第２の局が自身でスクランブル鍵情報を生成し、前記第２のコンテンツと共に送出する第２のＥＣＭ情報として、前記生成したスクランブル鍵情報を含む第２のＥＣＭ情報を生成して送出するＥＣＭ情報送出手段と、前記第２の局が送出するコンテンツを切り替えた直後の所定期間においては、送出する第２のコンテンツのスクランブルを一時的に解除するスクランブル解除手段と、を備えるものである。
【００４１】
この発明では、第１のコンテンツに対するスクランブル処理と第２のコンテンツに対するスクランブル処理とを切り離して独立したスクランブル鍵で処理することができる。ここで、第２の局が送出するコンテンツを第１のコンテンツから第２のコンテンツに切り替えた直後の所定期間については、送出する第２のコンテンツのスクランブルを一時的に解除し、ノンスクランブル状態のコンテンツを送出することにより、スクランブル鍵とＥＣＭ情報の内容との不整合の問題を解消できる。
【００４２】
また、本発明の送出コンテンツスクランブル制御装置は、通信網を介して接続された第１の局と第２の局との間で送出されるコンテンツのスクランブルを制御する送出コンテンツスクランブル制御装置であって、前記第２の局において送出するコンテンツを、自局が保持する第２のコンテンツから前記第１の局より前記第２の局へ送られる第１のコンテンツに切り替える際に、前記コンテンツの切り替え後は、前記第１の局から受信した第１のＥＣＭ情報を第２の局用に変換して第２のＥＣＭ情報として送出するＥＣＭ情報送出手段と、前記第２の局が送出するコンテンツを切り替えた直後の所定期間においては、前記第１の局から受信したスクランブル処理された第１のコンテンツをデスクランブル処理して送出するデスクランブル処理手段と、前記第２の局が送出するコンテンツを切り替えた後で前記所定期間を経過した後は、前記第１の局から受信したスクランブル処理された第１のコンテンツを第２の局用に変換して送出するコンテンツ送出手段と、を備えるものである。
【００４３】
この発明では、第２の局が送出するコンテンツを第２のコンテンツから第１のコンテンツに切り替えた直後の所定期間については、第１の局から受信したスクランブル処理された第１のコンテンツをデスクランブル処理した結果、すなわちノンスクランブル状態のコンテンツを必要に応じてＰＩＤのみ第２の局用に変換して送出する。そして、前記所定期間を経過した後は、第１の局から受信したスクランブル処理された第１のコンテンツを第２の局が必要に応じてＰＩＤのみ第２の局用に変換して送出する。これにより、スクランブル鍵とＥＣＭ情報の内容との不整合の問題を解消できる。
【００４４】
また、本発明の送出コンテンツスクランブル制御装置は、通信網を介して接続された第１の局と第２の局との間で送出されるコンテンツのスクランブルを制御する送出コンテンツスクランブル制御装置であって、前記第１の局より前記第２の局へ、スクランブル鍵Ｋｓを特定する情報と、そのスクランブル鍵Ｋｓを暗号化した複数のサービスに対応するそれぞれのＥＣＭ情報を１セットの情報として、ノンスクランブル状態のコンテンツと同時に送出する手段と、前記第２の局において、前記第１の局より送出されるＥＣＭ情報のうち、送出コンテンツのサービスに対応するＥＣＭ情報のみを抽出する手段と、前記第２の局において、前記抽出したＥＣＭ情報を、第２の局用に変換して送出する手段と、前記第２の局において、前記第１の局より受信したスクランブル鍵Ｋｓを用いて、送出するコンテンツをスクランブル処理する手段と、を備えるものである。
【００４５】
この発明では、第１の局で常にスクランブル鍵Ｋｓを特定する情報と、そのスクランブル鍵Ｋｓを暗号化した複数のサービスに対応するそれぞれのＥＣＭ情報を送出し続け、その連続性を保証することで、第２の局では必要なＥＣＭ情報のみ抽出して送出すると同時に、第１の局で指定されたそのＥＣＭ情報とセットのスクランブル鍵Ｋｓを用いてコンテンツのスクランブル処理を行う。これにより、スクランブル鍵とＥＣＭ情報の内容との不整合の問題を解消できる。
【００４６】
また、本発明は、コンピュータに、上記のいずれかに記載の送出コンテンツスクランブル制御方法の各手順を実行させるためのプログラムを提供する。
【００４７】
上記プログラムをコンピュータによって実行することにより、上述した送出コンテンツスクランブル制御方法と同様の作用効果が得られる。
【発明の効果】
【００４８】
本発明によれば、通信網に接続された主要局などの第１の局から受信した番組だけを放送する地方局などの第２の局におけるコンテンツ鍵Ｋｃの管理を不要にするとともに、第２の局が第１の局から受信したコンテンツとローカルコンテンツとを切り替える場合であっても、視聴者側の受信機におけるデスクランブル処理を正しく行うことが可能な送出コンテンツスクランブル制御方法及び装置、並びにプログラムを提供できる。
【発明を実施するための最良の形態】
【００４９】
本実施形態では、サーバ型放送サービス等のディジタル放送におけるコンテンツ著作権保護のためのスクランブル処理として、送出コンテンツのスクランブルを制御する送出コンテンツスクランブル制御装置及び方法の具体例を説明する。ここでは、所定の通信網を介して接続された第１の局（主要局）と第２の局（地方局）とが存在し、前記第１の局は自局が保持する第１のコンテンツをスクランブル鍵情報を含む第１のＥＣＭ（Entitlement Control Message）情報とともに前記第２の局宛に送出し、前記第２の局は自局が保持する第２のコンテンツと前記第１の局から送出された第１のコンテンツとを逐次切り替えて、スクランブル処理された第１のコンテンツ又は第２のコンテンツをスクランブル鍵情報を含む第２のＥＣＭ情報とともに送出するような通信システムにおける構成を例示する。
【００５０】
（第１の実施形態）
図１は本発明の実施形態に係る通信システムの構成例を示すブロック図である。図２は本発明の実施形態に係る主要局の要部の構成例を示すブロック図である。
【００５１】
本実施形態では、例えば図１に示すような通信システムに適用する場合を想定している。図１の構成例では、１つの主要局１０１と複数の地方局１２１ａ、１２１ｂ、１２１ｃ、・・・と複数の視聴者側受信局１３１、１３２、１３３、・・・が存在している。主要局１０１及び各地方局１２１はいずれも放送局であり、番組のコンテンツを電波に乗せて視聴者向けに送出する。勿論、主要局１０１について単に通信回線に対して放送番組を送出し、放送局のような電波は送出しないように構成する場合も考えられる。
【００５２】
主要局１０１と各地方局１２１との間は、それぞれ通信回線１１１を介して接続されている。従って、主要局１０１が保持しているコンテンツを各地方局１２１に配信することが可能である。主要局１０１に接続されたコンテンツＤＢ（データベース）１０２には、多数のユーザ（全国規模のユーザ）が視聴を希望する可能性の高いメジャーコンテンツが蓄積されている。具体的なコンテンツの内容としては、テレビ番組や音楽番組などが想定される。
【００５３】
また、地方局１２１ａにはコンテンツＤＢ１２２ａが接続され、地方局１２１ｂにはコンテンツＤＢ１２２ｂが接続され、地方局１２１ｃにはコンテンツＤＢ１２２ｃが接続されている。各コンテンツＤＢ１２２ａ、１２２ｂ、１２２ｃには、それぞれが接続された地方局１２１の存在する地域との関連性が高いローカルコンテンツが蓄積されている。なお、各地方局１２１が主要局１０１から配信されるメジャーコンテンツだけを受信して放送するような場合には、ローカルコンテンツは不要なのでコンテンツＤＢ１２２を接続する必要はない。
【００５４】
上記構成において、各視聴者側受信局１３１、１３２、１３３は地方局１２１に近い地域に存在しており、地方局１２１が送出する電波を受信して地方局１２１の放送番組（コンテンツ）を受信する。
【００５５】
主要局１０１には、図２に示すように、スクランブラ２０１、スクランブル鍵管理部２０２、ＥＣＭ生成部２０３、ワーク鍵保持部２０４、コンテンツ鍵管理部２０５及び多重装置２０６が設けてある。
【００５６】
スクランブル鍵管理部２０２は、コンテンツのスクランブル処理に用いるスクランブル鍵Ｋｓを管理している。実際に使用するスクランブル鍵Ｋｓの内容は、例えば数秒おきに自動的に違う内容に変更される。ワーク鍵保持部２０４は、権利保護のために利用されるワーク鍵Ｋｗを保持している。コンテンツ鍵管理部２０５は、コンテンツ毎に異なる値が割り当てられたコンテンツ鍵Ｋｃを管理している。コンテンツ鍵Ｋｃはサーバ型放送を実施する場合に用いられる。
【００５７】
スクランブラ２０１は、サーバ型放送を実施する場合に、スクランブル鍵管理部２０２が出力するスクランブル鍵Ｋｓを用いて入力されたコンテンツにスクランブルをかける。そしてスクランブラ２０１でスクランブル処理されたコンテンツが通信回線１１１を介して各地方局１２１に配信される。サーバ型放送を実施しない場合には、ノンスクランブル状態のコンテンツをそのまま各地方局１２１に配信してもよい。
【００５８】
ＥＣＭ生成部２０３は、スクランブル鍵管理部２０２が出力するスクランブル鍵Ｋｓをワーク鍵保持部２０４から出力されるワーク鍵Ｋｗを用いて暗号化した結果を制御メッセージＥＣＭ−Ｋｗとして出力すると共に、スクランブル鍵管理部２０２が出力するスクランブル鍵Ｋｓをコンテンツ鍵管理部２０５から出力されるコンテンツ鍵Ｋｃを用いて暗号化した結果を制御メッセージＥＣＭ−Ｋｃとして出力する。
【００５９】
また、受信側でのコンテンツのデスクランブル処理のスムーズな実施を可能にするために、スクランブル鍵Ｋｓとして連続する２つのＫｓを各制御メッセージＥＣＭ−Ｋｗ、ＥＣＭ−Ｋｃに同時に含めて送出する。すなわち、現在のスクランブル処理で使用しているスクランブル鍵Ｋｓ（１）と次の時点のスクランブル処理で使用する予定のスクランブル鍵Ｋｓ（２）とを同時に送出する。
【００６０】
図３は本実施形態におけるコンテンツとスクランブル鍵の具体例を示すタイムチャートである。
【００６１】
図３に示す例では、発局である主要局１０１がスクランブル鍵ＫｓとしてＫｓＡ１、ＫｓＡ２、ＫｓＡ３、・・・を時間の経過に伴って順次に使用しており、スクランブル鍵ＫｓとしてＫｓＡ１を使用するタイミングでは、制御メッセージＥＣＭ−Ｋｗ、ＥＣＭ−Ｋｃに現在の鍵ＫｓＡ１と次の鍵ＫｓＡ２とを含めて送信し、スクランブル鍵ＫｓとしてＫｓＡ２を使用するタイミングでは、制御メッセージＥＣＭ−Ｋｗ、ＥＣＭ−Ｋｃに現在の鍵ＫｓＡ２と次の鍵ＫｓＡ３とを含めて送信し、スクランブル鍵ＫｓとしてＫｓＡ３を使用するタイミングでは、制御メッセージＥＣＭ−Ｋｗ、ＥＣＭ−Ｋｃに現在の鍵ＫｓＡ３と次の鍵ＫｓＡ４とを含めて送信している。
【００６２】
サーバ型放送を実施する場合には送出するコンテンツ毎に異なるコンテンツ鍵Ｋｃを使用する必要があるため、コンテンツ鍵Ｋｃの管理のために比較的規模の大きい管理設備が必要になる。しかし、この形態では主要局１０１側でコンテンツのスクランブル処理及び制御メッセージＥＣＭ−Ｋｃの送出を行うので、各地方局１２１は基本的にコンテンツ鍵Ｋｃを管理する必要がない。つまり、各地方局１２１は主要局１０１から配信されたコンテンツを必要に応じてＰＩＤ（Packet Identification）のみ地方局１２１用に変換して放送すればよい。
【００６３】
但し、実際の通信システムにおいては、既に運用されている権利保護放送とサーバ型放送とを並行運用することになるので、図１に示す各地方局１２１ではローカルコンテンツの送出の際にスクランブル処理を実施する必要があり、主要局１０１から送出されるコンテンツ（ネット受コンテンツ）とローカルコンテンツとの切替も必要になる。また、地方局１２１が実際の放送対象としてネット受コンテンツとローカルコンテンツとを切り替える際には、スクランブル鍵Ｋｓとして主要局１０１と地方局１２１とで共通の値を使用する必要がある。
【００６４】
図４は第１の実施形態における地方局の主要部の構成を示すブロック図である。本実施形態では、地方局１２１には図４示すような構成要素が備わっている。すなわち、地方局１２１は、ＥＣＭ−Ｋｗ抽出部１１、スイッチャ１２、多重装置１３、自動番組管理装置（ＡＰＣ：Auto Program Controller ）１４及びスクランブラ１５を備えている。また、スクランブラ１５にはローカル用ＥＣＭ−Ｋｗ生成部１５１、スクランブル処理部１５２及びネット受ＥＣＭ−Ｋｗ復号部１５３が備わっている。
【００６５】
放送コンテンツを切り替えるスイッチャ１２の入力には、通信回線１１１を介して主要局１０１から配信されたネット受コンテンツ（スクランブルＴＳ（Transport Stream））と、コンテンツＤＢ１２２から入力されたローカルコンテンツ（ノンスクランブル状態のコンテンツ）とが入力される。
【００６６】
自動番組管理装置１４は、コンテンツの放送時間の管理及び制御を行うために設けてある。自動番組管理装置１４の切替指示に従って、所定のタイミングでスイッチャ１２はネット受コンテンツとローカルコンテンツとのいずれか一方を放送対象として選択する。
【００６７】
ＥＣＭ−Ｋｗ抽出部１１は、地方局１２１に入力されたネット受コンテンツの信号の中から、権利保護放送用の制御メッセージＥＣＭ−Ｋｗを抽出する。実際には、制御メッセージＥＣＭ−Ｋｗを抽出するためにＥＣＭ−Ｋｗ抽出部１１はＰＩＤフィルタを用いている。
【００６８】
多重装置１３は、送出コンテンツを他のデータ（権利保護放送用ＥＣＭ等）と多重化するために設けてある。スクランブラ１５は、ローカルコンテンツ用の権利保護放送用ＥＣＭを生成し送出したり、ローカルコンテンツをスクランブル処理したりするために設けてある。
【００６９】
スクランブラ１５内のローカル用ＥＣＭ−Ｋｗ生成部１５１は、ローカルコンテンツ用の権利保護放送用ＥＣＭを生成して多重装置１３へ送出する。スクランブル処理部１５２は、自動番組管理装置１４からの指示に従ってコンテンツのスクランブル処理を実施する。ネット受ＥＣＭ−Ｋｗ復号部１５３は、ネット受けコンテンツから取り出した制御メッセージＥＣＭ−Ｋｗを復号し、次コンテンツの最初のスクランブル鍵Ｋｓを抽出する。
【００７０】
ここで、主要局１０１及び地方局１２１の動作の概略を図５及び図６に示す。図５は第１の実施形態におけるネット受コンテンツからローカルコンテンツへの切替動作を示すシーケンス図である。図６は第１の実施形態におけるローカルコンテンツからネット受コンテンツへの切替動作を示すシーケンス図である。
【００７１】
地方局１２１が放送するコンテンツを前記ネット受コンテンツからローカルコンテンツに切り替える際には、図５に示す動作が実施され、地方局１２１が放送するコンテンツを前記ローカルコンテンツからネット受コンテンツに切り替える際には、図６に示す動作が実施される。
【００７２】
まず、図５に示す動作について説明する。ネット発局、すなわち主要局１０１では、前述のように権利保護放送用の制御メッセージＥＣＭ−Ｋｗとサーバ型放送用の制御メッセージＥＣＭ−Ｋｃとを生成し、コンテンツと多重化した後に、ＥＣＭに含めたスクランブル鍵Ｋｓでコンテンツをスクランブルした後、通信回線１１１を介して地方局１２１宛に送出する（ステップＳ１１−Ｓ１４）。
【００７３】
ステップＳ１５においては、地方局１２１が前記ネット受コンテンツを放送する場合を想定している。従って、ステップＳ１５では地方局１２１は主要局１０１から受信した制御メッセージＥＣＭ−Ｋｗ、ＥＣＭ−Ｋｃ及びスクランブル状態のコンテンツを必要に応じてＰＩＤのみ地方局１２１用に変換して放送波として送出する。ステップＳ１５の動作は現在のコンテンツが終了するまで継続される。
【００７４】
一方、地方局１２１内の自動番組管理装置１４は、現在放送中のコンテンツが終了する予定時刻の少し前（例えば１０秒前）にそれを検出し、自局内の各装置（スイッチャ１２、スクランブラ１５）へ切替準備のための指示を出す（ステップＳ１６）。
【００７５】
この指示を受けたＥＣＭ−Ｋｗ抽出部１１は、ステップＳ１７で、ＰＩＤフィルタ処理によりネット受信しているストリームから制御メッセージＥＣＭ−Ｋｗを抽出し、抽出された制御メッセージＥＣＭ−Ｋｗをスクランブラ１５に通知する。
【００７６】
ステップＳ１８では、スクランブラ１５はネット受ＥＣＭ−Ｋｗ復号部１５３で既知のワーク鍵Ｋｗを用いて制御メッセージＥＣＭ−Ｋｗを復号し、この制御メッセージＥＣＭ−Ｋｗの中から次コンテンツのスクランブル（ローカルコンテンツの最初のスクランブル処理）に適用すべきスクランブル鍵Ｋｓを抽出する。例えば、図３に示す期間Ｔ３では、ＥＣＭ−Ｋｗに含まれているスクランブル鍵ＫｓＡ３、ＫｓＡ４の中から、ＫｓＡ４を次の期間Ｔ４で使うべきスクランブル鍵Ｋｓとして抽出する。
【００７７】
ステップＳ１９では、スクランブラ１５内のローカル用ＥＣＭ−Ｋｗ生成部１５１が、次のタイミングで送出すべきローカルコンテンツ用の制御メッセージＥＣＭ−Ｋｗを生成する。ここで生成する制御メッセージＥＣＭ−Ｋｗには、ステップＳ１８で抽出されたスクランブル鍵Ｋｓ（例えばＫｓＡ４）が含まれる。このスクランブル鍵Ｋｓは、スクランブル処理部１５２にも通知される。
【００７８】
現在放送中のコンテンツが終了する予定時刻になると、自動番組管理装置１４はステップＳ２０で自局内の各装置（スイッチャ１２、ローカル用ＥＣＭ−Ｋｗ生成部１５１、スクランブル処理部１５２）にネット受コンテンツ放送終了の指示を出す。この指示により、スイッチャ１２は前記ネット受コンテンツからローカルコンテンツへの切り替えを実行する。
【００７９】
ステップＳ２１では、現在放送中のコンテンツが終了する時刻に自動番組管理装置１４からの指示に従って、スクランブラ１５内のローカル用ＥＣＭ−Ｋｗ生成部１５１が制御メッセージＥＣＭ−Ｋｗを生成し多重装置１３に送出する。
【００８０】
ステップＳ２２では、現在放送中のコンテンツが終了する時刻に自動番組管理装置１４からの指示に従って、スクランブラ１５内のスクランブル処理部１５２が、ステップＳ１８で抽出されたスクランブル鍵Ｋｓを用いて送出用のコンテンツに対するスクランブル処理を開始する。
【００８１】
時間の経過に伴ってローカルコンテンツのスクランブル処理に用いるスクランブル鍵Ｋｓは順次に切り替えられる。スクランブル鍵Ｋｓが切り替わると、新たなスクランブル鍵Ｋｓを用いてローカル用ＥＣＭ−Ｋｗ生成部１５１はステップＳ２３で再びＥＣＭ−Ｋｗを生成し、スクランブル処理部１５２はステップＳ２４でスクランブル処理に使用するスクランブル鍵Ｋｓを切り替える。このような動作がローカルコンテンツの番組が終了するまで継続される。
【００８２】
次に、図６に示された動作、すなわち地方局１２１が放送するコンテンツをローカルコンテンツからネット受コンテンツに切り替える場合の動作について説明する。
【００８３】
図５に示した動作と同様に、ネット発局、すなわち主要局１０１では、前述のように権利保護放送用の制御メッセージＥＣＭ−Ｋｗとサーバ型放送用の制御メッセージＥＣＭ−Ｋｃとを生成し、コンテンツと多重化した後に、ＥＣＭに含めたスクランブル鍵Ｋｓでコンテンツをスクランブルした後、通信回線１１１を介して地方局１２１宛に送出する（ステップＳ３１〜Ｓ３４）。なお、主要局１０１は放送用のコンテンツを地方局１２１に送出する前に、少なくとも制御メッセージＥＣＭ−Ｋｗの送出は開始しておく。
【００８４】
ステップＳ３６においては、地方局１２１が自局側で用意したローカルコンテンツを放送する場合を想定している。従って、ステップＳ３６では地方局１２１は、自局内で用意したスクランブル鍵Ｋｓを用いて制御メッセージＥＣＭ−Ｋｗをローカル用ＥＣＭ−Ｋｗ生成部１５１で生成し送出する。また、ステップＳ３７ではステップＳ３６で生成した制御メッセージＥＣＭ−Ｋｗに含めたスクランブル鍵Ｋｓを用いて、スクランブル処理部１５２がローカルコンテンツに対してスクランブル処理を施す。送出すべきローカルコンテンツが終了するまでの間は、ステップＳ３６、Ｓ３７の処理が繰り返される。また、スクランブル処理に使用するスクランブル鍵Ｋｓは周期的に変更される。
【００８５】
地方局１２１内の自動番組管理装置１４は、ローカルコンテンツの送出が終了する時刻になる前（例えば１０秒前）にそれを検出し、ローカルコンテンツからネット受コンテンツへの切替準備指示を自局内の各装置に与える。この切替準備指示に従って、地方局１２１はステップＳ３８でネット受コンテンツの受信を開始する。
【００８６】
また、ＥＣＭ−Ｋｗ抽出部１１は受信したネット受コンテンツのストリームからＰＩＤフィルタ処理により制御メッセージＥＣＭ−Ｋｗを抽出してスクランブラ１５に通知する（ステップＳ３９）。
【００８７】
スクランブラ１５内のネット受ＥＣＭ−Ｋｗ復号部１５３は、ＥＣＭ−Ｋｗ抽出部１１から通知された制御メッセージＥＣＭ−Ｋｗを復号し、それに含まれているスクランブル鍵Ｋｓを取り出す（ステップＳ４０）。なお、通知された制御メッセージＥＣＭ−Ｋｗには２つのスクランブル鍵Ｋｓ（現在のコンテンツのスクランブル処理に適用する鍵Ｋｓ（１）と次コンテンツの最初のスクランブル処理に適用すべき鍵Ｋｓ（２））が含まれているが、ステップＳ４０では後者のスクランブル鍵Ｋｓを使用する。
【００８８】
例えば、図３に示す例で、期間Ｔ６で受信する制御メッセージＥＣＭ−Ｋｗには２つのスクランブル鍵ＫｓＡ６とＫｓＡ７とが含まれているが、スクランブル鍵ＫｓＡ７を抽出して使用する。
【００８９】
そして、ローカル用ＥＣＭ−Ｋｗ生成部１５１は、ローカルコンテンツの番組終了直前のＥＣＭ−Ｋｗを更新するタイミングで、ステップＳ４０で抽出されたスクランブル鍵Ｋｓを含む制御メッセージＥＣＭ−Ｋｗを生成しこれを送出する。例えば図３に示す期間Ｔ６では、受局である地方局１２１が送出する制御メッセージＥＣＭ−Ｋｗに、ステップＳ４０で抽出されたスクランブル鍵ＫｓＡ７も含まれている。
【００９０】
地方局１２１内の自動番組管理装置１４は、ローカルコンテンツの送出が終了する時刻になったことを検出すると、ローカルコンテンツ放送終了の指示を自局内の各装置に通知する。この指示に従って、ステップＳ４２でスクランブラ１５はスクランブル処理を停止すると共に、ローカル用の制御メッセージＥＣＭ−Ｋｗの送出を停止する。
【００９１】
また、自動番組管理装置１４からのローカルコンテンツ放送終了の指示に従って、スイッチャ１２はステップＳ４３で送出用のコンテンツをローカルコンテンツからネット受コンテンツに切り替える。スイッチャ１２がネット受コンテンツに切り替えると、主要局１０１が送出したスクランブル処理済みのコンテンツと制御メッセージＥＣＭ−Ｋｗ、ＥＣＭ−Ｋｃとがスクランブラ１５を素通りして放送用に地方局１２１から送出される。
【００９２】
上記のように、本実施形態では、主要局１０１が地方局１２１に送出するコンテンツにはスクランブル処理が施されているので、地方局１２１は主要局１０１から受信したコンテンツを必要に応じてＰＩＤのみ地方局１２１用に変換して放送用に送出すればよく、サーバ型放送サービスを行う場合であってもコンテンツ毎に独立しているコンテンツ鍵Ｋｃを地方局１２１が管理する必要はない。
【００９３】
また、地方局１２１のスイッチャ１２が放送用のコンテンツとしてネット受コンテンツとローカルコンテンツとを切り替えるタイミングにおいても、受信したコンテンツから抽出した制御メッセージＥＣＭ−Ｋｗに含まれている次コンテンツ用のスクランブル鍵Ｋｓを取り出して利用することにより、実際のスクランブル処理と地方局１２１が送出する制御メッセージＥＣＭとの整合性を維持することができる。主要局１０１から受信したコンテンツに対して地方局１２１の内部でデスクランブル処理を施す必要もないため、サーバ型放送サービスを実施するために必要とされる地方局１２１側の設備コストを最小限に抑制できる。
【００９４】
なお、上記第１の実施形態において、図４に示す各構成要素の機能並びに図５及び図６に示す各処理については、専用のハードウェアで実現することもできるし、マイクロプロセッサなどのコンピュータ上で予め用意したプログラムを実行することにより実現することも可能である。
【００９５】
サーバ型放送において現行放送コンテンツを利用するサービス（ＴＹＰＥ１）を実施するの場合、サーバ型放送と権利保護放送との並行運用（サイマルクリプト）になる。従って、コンテンツを送出する放送局では、１つのスクランブル鍵Ｋｓを権利保護放送用としてワーク鍵Ｋｗで暗号化した制御用メッセージＥＣＭ-Ｋｗを生成して送出すると同時に、サーバ型放送サービス用として前記スクランブル鍵Ｋｓをコンテンツ鍵Ｋｃで暗号化した制御用メッセージＥＣＭ-Ｋｃを生成して送出することになる。
【００９６】
ここで、制御用メッセージＥＣＭ-Ｋｗの暗号化に用いるワーク鍵Ｋｗは権利保護共通の情報であるため、例えば地方局はこのワーク鍵Ｋｗを認識し、主要局から受信した第１のＥＣＭ情報に含まれているＥＣＭ-Ｋｗをワーク鍵Ｋｗを用いて復号することにより、スクランブル鍵Ｋｓを抽出することができる。
【００９７】
実際には、地方局などの受信局は、所定の編成情報などに基づいて番組（コンテンツ）の放送終了時刻前であることを検知した場合に、鍵情報抽出ステップで主要局などの局から送出された制御用メッセージＥＣＭ-Ｋｗを受信し復号することにより、次のコンテンツのスクランブル処理に適用すべきスクランブル鍵Ｋｓを取り出すことができる。そして、第１のコンテンツ（ネット受コンテンツ）から第２のコンテンツ（ローカルコンテンツ）に切り替えた直後は、抽出された前記スクランブル鍵Ｋｓを用いてスクランブル処理を行うと共に、このスクランブル鍵Ｋｓを含む制御用メッセージＥＣＭ-Ｋｗを生成し第２のＥＣＭ情報として送出すればよい。
【００９８】
主要局のように第１のコンテンツを発信する発信局（第１の局）がサーバ型放送サービスを実施する場合には、発信局がスクランブル処理されたストリームとして第１のコンテンツを送出し、地方局のように第１のコンテンツを受信する受信局（第２の局）が受信したストリームと第１のＥＣＭ情報として受信する制御用メッセージ（ＥＣＭ−Ｋｃ、ＥＣＭ−Ｋｗ）を必要に応じてＰＩＤのみ受信局用に変換して送出すれば、地方局もサーバ型放送サービスを実施することができる。しかも、現在のスクランブル処理に適用するスクランブル鍵Ｋｓ（１）と次の時点のスクランブル処理に適用するスクランブル鍵Ｋｓ（２）とを含めた状態で放送することができるので、視聴者側の受信機が受信したコンテンツのデスクランブル処理を実施する際にスムーズな処理を実現できる。第１のコンテンツから第２のコンテンツへの切替時であっても問題は生じない。
【００９９】
また、第２の局が送出するコンテンツを第２のコンテンツ（ローカルコンテンツ）から第１のコンテンツ（ネット受コンテンツ）に切り替える前に、次の第１のコンテンツを送出する際に最初に適用すべきスクランブル鍵の情報を鍵情報抽出ステップで取得することができ、この情報を第２のＥＣＭ情報としてＥＣＭ情報送出ステップで送出することができる。従って、次に送出する第１のコンテンツがサーバ型放送サービス対象である場合、主要局のように第１のコンテンツを発信する発信局（第１の局）は第１のコンテンツをスクランブル処理されたストリームとして送出すればよく、地方局のように第１のコンテンツを受信する受信局（第２の局）では受信したストリームを第１のＥＣＭ情報（ＥＣＭ−Ｋｃ、ＥＣＭ−Ｋｗ）と共に必要に応じてＰＩＤのみ受信局用に変換して送出すれば、地方局もサーバ型放送サービスを実施できる。しかも、現在のスクランブル処理に適用するスクランブル鍵Ｋｓ（１）と次の時点のスクランブル処理に適用するスクランブル鍵Ｋｓ（２）とを含めた状態で放送することができるので、視聴者側の受信機が受信したコンテンツのデスクランブル処理を実施する際にスムーズな処理を実現できる。第２のコンテンツから第１のコンテンツへの切替時であっても問題は生じない。
【０１００】
（第２の実施形態）
図７は第２の実施形態における地方局の主要部の構成を示すブロック図である。第２の実施形態は第１の実施形態の変形例である。第１の実施形態と同一の構成及び動作については詳細な説明を省略する。
【０１０１】
第２の実施形態においても、図１及び図２に示すような通信システムに適用する場合を想定している。但し、第２の実施形態では、主要局１０１が送出するコンテンツ毎に、コンテンツの開始前及びコンテンツの終了前に、コンテンツのスクランブル処理に使用する予定のスクランブル鍵Ｋｓの情報を含むネットキュー信号を地方局に通知する機能を備えている。そのため、第２の実施形態の地方局１２１Ａの構成は図７に示すように変更されている。
【０１０２】
第２の実施形態の地方局１２１Ａは、ネットキュー信号取り出し部２１、スイッチャ２２、多重装置２３、自動番組管理装置（ＡＰＣ）２４及びスクランブラ２５を備えている。また、スクランブラ２５にはローカル用ＥＣＭ−Ｋｗ生成部２５１、スクランブル処理部２５２及び次コンテンツ先頭Ｋｓ抽出部２５３が備わっている。
【０１０３】
この構成において、第１の実施形態と同様に、放送コンテンツを切り替えるスイッチャ２２の入力には、通信回線１１１を介して主要局１０１から配信されたネット受コンテンツ（スクランブルＴＳ（Transport Stream））と、コンテンツＤＢ１２２から入力されたローカルコンテンツ（ノンスクランブル状態のコンテンツ）とが入力される。
【０１０４】
自動番組管理装置２４は、コンテンツの放送時間の管理及び制御を行うために設けてある。自動番組管理装置２４の切替指示に従って、所定のタイミングでスイッチャ２２はネット受コンテンツとローカルコンテンツとのいずれか一方を放送対象として選択する。
【０１０５】
ネットキュー信号取り出し部２１は、主要局１０１から送出された信号の中から、前述のネットキュー信号を取り出すために設けてある。多重装置２３は、送出コンテンツを他のデータ（権利保護放送用ＥＣＭ等）と多重化するために設けてある。スクランブラ２５は、ローカルコンテンツ用の権利保護放送用ＥＣＭを生成し送出したり、ローカルコンテンツをスクランブル処理したりするために設けてある。
【０１０６】
スクランブラ２５内のローカル用ＥＣＭ−Ｋｗ生成部２５１は、ローカルコンテンツ用の権利保護放送用ＥＣＭを生成して多重装置２３へ送出する。スクランブル処理部２５２は、自動番組管理装置２４からの指示に従ってコンテンツのスクランブル処理を実施する。次コンテンツ先頭Ｋｓ抽出部２５３は、ネットキュー信号取り出し部２１が取り出したネットキュー信号の中から、次コンテンツの最初のスクランブル処理に適用すべきスクランブル鍵Ｋｓを特定するための情報を抽出する。
【０１０７】
例えば、図３に示す期間Ｔ３では、次コンテンツの最初のスクランブル処理に適用すべきスクランブル鍵ＫｓＡ４を特定するための情報が主要局１０１から通知されるネットキュー信号に含まれている。また、図３に示す期間Ｔ６では、次コンテンツの最初のスクランブル処理に適用すべきスクランブル鍵ＫｓＡ７を特定するための情報が主要局１０１から通知されるネットキュー信号に含まれている。
【０１０８】
ここで、主要局１０１及び地方局１２１Ａの動作の概略を図８及び図９に示す。図８は第２の実施形態におけるネット受コンテンツからローカルコンテンツへの切替動作を示すシーケンス図である。図９は第２の実施形態におけるローカルコンテンツからネット受コンテンツへの切替動作を示すシーケンス図である。
【０１０９】
地方局１２１Ａが放送するコンテンツを前記ネット受コンテンツからローカルコンテンツに切り替える際には、図８に示す動作が実施され、地方局１２１Ａが放送するコンテンツを前記ローカルコンテンツからネット受コンテンツに切り替える際には、図９に示す動作が実施される。
【０１１０】
まず、図８に示す動作について説明する。ネット発局、すなわち主要局１０１では、前述のように権利保護放送用の制御メッセージＥＣＭ−Ｋｗとサーバ型放送用の制御メッセージＥＣＭ−Ｋｃとを生成し、コンテンツと多重化した後に、ＥＣＭに含めたスクランブル鍵Ｋｓでコンテンツをスクランブルした後、通信回線１１１を介して地方局１２１Ａ宛に送出する（ステップＳ５１〜Ｓ５４）。
【０１１１】
ステップＳ５７においては、地方局１２１Ａが前記ネット受コンテンツを放送する場合を想定している。従って、ステップＳ５７では地方局１２１Ａは主要局１０１から受信した制御メッセージＥＣＭ−Ｋｗ、ＥＣＭ−Ｋｃ及びスクランブル状態のコンテンツを必要に応じてＰＩＤのみ地方局１２１Ａ用に変換して放送波として送出する。ステップＳ５７の動作は現在のコンテンツが終了するまで継続される。
【０１１２】
一方、主要局１０１側の自動番組管理装置（図示せず）は、現在送出中のコンテンツの番組終了時刻が近づくと、その旨をネットキュー信号を用いて地方局１２１Ａに通知する（ステップＳ５５）。この形態では、このネットキュー信号の中に、次コンテンツの最初のスクランブル処理で使用すべきスクランブル鍵Ｋｓを特定するための情報を含めてある。
【０１１３】
例えば、主要局１０１と地方局１２１Ａとが予め決定した共通の複数個（複数種類）のスクランブル鍵Ｋｓをそれぞれ保持し、各スクランブル鍵Ｋｓを主要局１０１と地方局１２１Ａとに共通な鍵番号で区別して管理している場合を想定すると、使用するスクランブル鍵Ｋｓに対応付けられた鍵番号をネットキュー信号に含めて主要局１０１から地方局１２１Ａに通知すればよい。スクランブル鍵Ｋｓ自体をネットキュー信号に含めることも考えられるが、伝送すべき情報量を減らすためには、スクランブル鍵Ｋｓを特定するための鍵番号を通知する方が望ましい。
【０１１４】
地方局１２１Ａ内のネットキュー信号取り出し部２１は、ステップＳ５８で主要局１０１から通知されるネットキュー信号を取り出して、次コンテンツ先頭Ｋｓ抽出部２５３に送る。次コンテンツ先頭Ｋｓ抽出部２５３は、ネットキュー信号取り出し部２１が取り出したネットキュー信号に含まれている情報に基づいてスクランブル鍵Ｋｓを決定する。このスクランブル鍵Ｋｓは、次コンテンツの最初のスクランブル処理で使用する予定のスクランブル鍵である。
【０１１５】
例えば、図３に示す期間Ｔ３では、主要局１０１が送出するＥＣＭ−Ｋｗには２つのスクランブル鍵ＫｓＡ３、ＫｓＡ４が含まれているが、この時に通知されるネットキュー信号に含まれている情報は、次コンテンツの最初のスクランブル処理に適用すべきスクランブル鍵ＫｓＡ４を特定するための情報である。
【０１１６】
また、地方局１２１Ａ内のローカル用ＥＣＭ−Ｋｗ生成部２５１は、次コンテンツ先頭Ｋｓ抽出部２５３が取り出したスクランブル鍵Ｋｓを用いて、ローカルコンテンツ用の制御メッセージＥＣＭ−Ｋｗを生成しスクランブル処理部２５２に通知する（ステップＳ６０）。
【０１１７】
その後、放送中のネット受コンテンツの番組終了予定時刻になると、自動番組管理装置２４からネット受コンテンツ放送終了の指示が各装置に通知される。この指示により、スイッチャ２２はステップＳ６１でネット受コンテンツからローカルコンテンツへの切替処理を実行する。
【０１１８】
また、スクランブラ２５はステップＳ６２でローカル用ＥＣＭ−Ｋｗ生成部２５１の生成した制御メッセージＥＣＭ−Ｋｗを送出し、ステップＳ６３でローカルコンテンツに対するスクランブル処理を開始する。最初のスクランブル処理では、ステップＳ５９で次コンテンツ先頭Ｋｓ抽出部２５３が抽出したスクランブル鍵Ｋｓを使用する。
【０１１９】
時間の経過に伴ってローカルコンテンツのスクランブル処理に用いるスクランブル鍵Ｋｓは順次に切り替えられる。スクランブル鍵Ｋｓが切り替わると、新たなスクランブル鍵Ｋｓを用いてローカル用ＥＣＭ−Ｋｗ生成部２５１はステップＳ６３で再びＥＣＭ−Ｋｗを生成し、スクランブル処理部２５２はステップＳ６４でスクランブル処理に使用するスクランブル鍵Ｋｓを切り替える。このような動作がローカルコンテンツの番組が終了するまで継続される。
【０１２０】
次に、図９に示された動作、すなわち地方局１２１Ａが放送するコンテンツをローカルコンテンツからネット受コンテンツに切り替える場合の動作について説明する。
【０１２１】
ネット発局、すなわち主要局１０１では、該当するコンテンツの送出を開始する前に、前述のネットキュー信号を用いて、次に送出するコンテンツの最初のスクランブル処理に適用する予定のスクランブル鍵Ｋｓを特定するための情報を地方局１２１Ａに通知する。
【０１２２】
例えば、図３に示す期間Ｔ６の例では、送出される制御メッセージＥＣＭ−Ｋｗの内容から、次コンテンツの最初のスクランブル処理に適用する予定のスクランブル鍵がＫｓＡ７であることが分かる。従ってこの場合には、ＫｓＡ７を特定するための情報をネットキュー信号に含めてステップＳ７１で通知する。
【０１２３】
実際には、主要局１０１と地方局１２１Ａとが予め決定した共通の複数個（複数種類）のスクランブル鍵Ｋｓをそれぞれ保持し、各スクランブル鍵Ｋｓを主要局１０１と地方局１２１Ａとに共通な鍵番号で区別して管理している場合を想定すると、使用するスクランブル鍵Ｋｓに対応付けられた鍵番号をネットキュー信号に含めて主要局１０１から地方局１２１Ａに通知すればよい。スクランブル鍵Ｋｓ自体をネットキュー信号に含めることも考えられるが、伝送すべき情報量を減らすためには、スクランブル鍵Ｋｓを特定するための鍵番号を通知する方が望ましい。
【０１２４】
ネット受局、すなわち地方局１２１Ａにおいては、ローカルコンテンツの放送中にはステップＳ７６、Ｓ７７の処理を繰り返し、自局内で割り当てたスクランブル鍵Ｋｓを用いて制御メッセージＥＣＭ−Ｋｗを生成し送出するとともに、前記スクランブル鍵Ｋｓを用いてローカルコンテンツにスクランブル処理を施し送出する。
【０１２５】
また、地方局１２１Ａ内のネットキュー信号取り出し部２１は主要局１０１から通知されるネットキュー信号（ネット受コンテンツ送出開始前であることを表す）をステップＳ７８で抽出する。ここで抽出されたネットキュー信号が次コンテンツ先頭Ｋｓ抽出部２５３に通知され、次コンテンツ先頭Ｋｓ抽出部２５３はステップＳ７９でこのネットキュー信号に含まれている情報に基づいてスクランブル鍵Ｋｓを特定する。このスクランブル鍵Ｋｓは、次コンテンツの最初のスクランブル処理に適用する予定の鍵情報である。
【０１２６】
また、地方局１２１Ａ内のローカル用ＥＣＭ−Ｋｗ生成部２５１は、現在放送中の番組が終了する直前のＥＣＭ−Ｋｗを更新するタイミングで、次コンテンツ先頭Ｋｓ抽出部２５３が特定したスクランブル鍵Ｋｓを含む制御メッセージＥＣＭ−Ｋｗを生成し送出する（ステップＳ８０）。
【０１２７】
その後、現在放送中のローカルコンテンツの番組が終了する時刻になると、自動番組管理装置２４から各装置に対してローカルコンテンツ放送終了の指示が通知される。この指示に従って、スクランブラ２５はステップＳ８１でスクランブル処理を停止し、ステップＳ８２で制御メッセージＥＣＭ−Ｋｗの送出を停止する。また、スイッチャ２２はステップＳ８３でローカルコンテンツからネット受コンテンツへの切替処理を実行する。
【０１２８】
主要局１０１では、第１の実施形態の場合と同様に、権利保護放送用の制御メッセージＥＣＭ−Ｋｗとサーバ型放送用の制御メッセージＥＣＭ−Ｋｃとを生成し、コンテンツと多重化した後に、ＥＣＭに含めたスクランブル鍵Ｋｓでコンテンツをスクランブルした後、通信回線１１１を介して地方局１２１Ａ宛に送出する（ステップＳ７２〜Ｓ７５）。
【０１２９】
第２の実施形態では、主要局１０１から暗号化されて送出される制御メッセージＥＣＭ−Ｋｗを地方局１２１Ａ内のスクランブラ２５が復号する必要がないので、第１の実施形態と比べてスクランブラ２５における処理の負担が軽減される。従って、スクランブラ２５をより低コストで実現できる。
【０１３０】
なお、上記第２の実施形態において、図７に示す各構成要素の機能並びに図８及び図９に示す各処理については、専用のハードウェアで実現することもできるし、マイクロプロセッサなどのコンピュータ上で予め用意したプログラムを実行することにより実現することも可能である。
【０１３１】
このように、地方局（第２の局）が送出するコンテンツを第１のコンテンツ（ネット受コンテンツ）から第２のコンテンツ（ローカルコンテンツ）に切り替える際に、次のコンテンツの最初のスクランブル処理に適用すべきスクランブル鍵を、主要局（第１の局）から地方局に通知される通知情報によって特定する。実際の通知情報としては、例えばネットキュー信号を用いればよい。また、実際に使用するスクランブル鍵については、例えば事前に決定した複数個のスクランブル鍵を主要局及び地方局の双方が共有して保持すると共に、番号などで各スクランブル鍵を管理しておき、通知情報の内容と番号（ＩＤ）が一致する特定のスクランブル鍵を選択して使用すればよい。
【０１３２】
このようにして決定したスクランブル鍵を用いて第２のコンテンツをスクランブル処理するので、主要局と地方局とが各タイミングで同じスクランブル鍵を使用することができる。従って、現在のスクランブル処理に適用するスクランブル鍵Ｋｓ（１）と次の時点のスクランブル処理に適用するスクランブル鍵Ｋｓ（２）とを含めたＥＣＭ情報を送出する場合であっても、第１のコンテンツから第２のコンテンツへ切り替える際に、実際のスクランブル処理に適用するスクランブル鍵と送出されるＥＣＭ情報の内容との整合性を維持することができ、視聴者側の受信機が受信したコンテンツのデスクランブル処理を実施する際にスムーズな処理を実現できる。
【０１３３】
また、地方局が送出するコンテンツを第２のコンテンツ（ローカルコンテンツ）から第１のコンテンツ（ネット受コンテンツ）に切り替える前に、次のコンテンツの最初のスクランブル処理に適用すべきスクランブル鍵を、主要局から地方局に通知される通知情報によって特定し、スクランブル処理することによって、主要局と地方局とが各タイミングで同じスクランブル鍵を使用することができる。従って、前記と同様、現在のスクランブル処理に適用するスクランブル鍵Ｋｓ（１）と次の時点のスクランブル処理に適用するスクランブル鍵Ｋｓ（２）とを含めたＥＣＭ情報を送出する場合であっても、第２のコンテンツから第１のコンテンツへ切り替える際に、実際のスクランブル処理に適用するスクランブル鍵と送出されるＥＣＭ情報の内容との整合性を維持することができ、視聴者側の受信機が受信したコンテンツのデスクランブル処理を実施する際にスムーズな処理を実現できる。
【０１３４】
主要局のように第１のコンテンツを発信する発信局（第１の局）がサーバ型放送サービスを実施する場合には、発信局がスクランブル処理されたストリームとして第１のコンテンツを送出し、地方局のように第１のコンテンツを受信する受信局（第２の局）が受信したストリームと第１のＥＣＭ情報として受信する制御用メッセージ（ＥＣＭ−Ｋｃ、ＥＣＭ−Ｋｗ）を必要に応じてＰＩＤのみ受信局用に変換して送出すれば、地方局もサーバ型放送サービスを実施することができる。
【０１３５】
（第３の実施形態）
図１０は第３の実施形態における地方局の主要部の構成を示すブロック図である。第３の実施形態は第１の実施形態の変形例である。第１の実施形態と同一の構成及び動作については詳細な説明を省略する。
【０１３６】
第３の実施形態においても、図１及び図２に示すような通信システムに適用する場合を想定している。但し、第３の実施形態では、地方局が放送するコンテンツとしてネット受コンテンツからローカルコンテンツへ又はローカルコンテンツからネット受コンテンツへ切り替える際に、主要局１０１側でスクランブル処理されたコンテンツを一時的にノンスクランブル状態に復元してから放送するように動作が変更されている。そのため、第３の実施形態の地方局１２１Ｂの構成は図１０に示すように変更されている。
【０１３７】
第３の実施形態の地方局１２１Ｂは、デスクランブラ３１、スイッチャ３２、多重装置３３、自動番組管理装置（ＡＰＣ）３４及びスクランブラ３５を備えている。また、スクランブラ３５には、ローカル用ＥＣＭ−Ｋｗ生成部３５１及びスクランブル処理部３５２が備わっている。
【０１３８】
この構成において、第１の実施形態と同様に、放送コンテンツを切り替えるスイッチャ３２の入力には、通信回線１１１を介して主要局１０１から配信されたネット受コンテンツ（スクランブルＴＳ（Transport Stream））と、コンテンツＤＢ１２２から入力されたローカルコンテンツ（ノンスクランブル状態のコンテンツ）とが入力される。
【０１３９】
自動番組管理装置３４は、コンテンツの放送時間の管理及び制御を行うために設けてある。自動番組管理装置３４の切替指示に従って、所定のタイミングでスイッチャ３２はネット受コンテンツとローカルコンテンツとのいずれか一方を放送対象として選択する。
【０１４０】
デスクランブラ３１は、主要局１０１から受信したスクランブル状態のコンテンツをスクランブル処理前の状態に復元するために設けてある。なお、デスクランブラ３１は常にデスクランブル処理を実施するのではなく、自動番組管理装置３４からの指示に従ってコンテンツの切替時に一定の期間だけデスクランブル処理を行う。
【０１４１】
多重装置３３は、送出コンテンツを他のデータ（権利保護放送用ＥＣＭ等）と多重化するために設けてある。スクランブラ３５は、ローカルコンテンツ用の権利保護放送用ＥＣＭを生成し送出したり、ローカルコンテンツをスクランブル処理したりするために設けてある。すなわち、スクランブラ３５内のローカル用ＥＣＭ−Ｋｗ生成部３５１がローカルコンテンツ用の権利保護放送用ＥＣＭを生成し、スクランブル処理部３５２が自動番組管理装置３４からの指示に従ってローカルコンテンツのスクランブル処理を行う。
【０１４２】
ここで、主要局１０１及び地方局１２１Ｂの動作の概略を図１１及び図１２に示す。図１１は第３の実施形態におけるネット受コンテンツからローカルコンテンツへの切替動作を示すシーケンス図である。図１２は第３の実施形態におけるローカルコンテンツからネット受コンテンツへの切替動作を示すシーケンス図である。
【０１４３】
地方局１２１Ｂが放送するコンテンツを前記ネット受コンテンツからローカルコンテンツに切り替える際には、図１１に示す動作が実施され、地方局１２１Ｂが放送するコンテンツを前記ローカルコンテンツからネット受コンテンツに切り替える際には、図１２に示す動作が実施される。
【０１４４】
まず、図１１に示す動作について説明する。ネット発局、すなわち主要局１０１では、前述のように権利保護放送用の制御メッセージＥＣＭ−Ｋｗとサーバ型放送用の制御メッセージＥＣＭ−Ｋｃとを生成し、コンテンツと多重化した後に、ＥＣＭに含めたスクランブル鍵Ｋｓでコンテンツをスクランブルした後、通信回線１１１を介して地方局１２１Ｂ宛に送出する（ステップＳ９１〜Ｓ９４）。
【０１４５】
図１１のステップＳ９６においては、地方局１２１Ｂが前記ネット受コンテンツを放送する場合を想定している。従って、ステップＳ９６では地方局１２１Ｂは主要局１０１から受信した制御メッセージＥＣＭ−Ｋｗ、ＥＣＭ−Ｋｃ及びスクランブル状態のコンテンツを必要に応じてＰＩＤのみ地方局１２１Ｂ用に変換して放送波として送出する。ステップＳ９６の動作は現在のコンテンツが終了するまで継続される。つまり、この場合には地方局１２１Ｂは主要局１０１から受信したコンテンツやＥＣＭを含む信号を単に中継して放送する。
【０１４６】
また、地方局１２１Ｂ内の自動番組管理装置３４は、現在放送中のコンテンツが終了する予定時刻になったことを検出すると、自局内の各装置（デスクランブラ３１、スイッチャ３２、スクランブラ３５）へ切替準備のための指示を出す。
【０１４７】
この指示を受けたスイッチャ３２は、ステップＳ９７で放送用の信号としてローカルコンテンツを選択するように切替を実行する。また、この指示を受けたスクランブラ３５内のローカル用ＥＣＭ−Ｋｗ生成部３５１は、ステップＳ９８でローカルコンテンツ用の制御メッセージＥＣＭ−Ｋｗの生成及び送出を開始する。
【０１４８】
また、スクランブラ３５内のスクランブル処理部３５２は、放送用の信号をネット受コンテンツからローカルコンテンツに切り替えた直後は、スクランブル処理を実施せずノンスクランブル状態のローカルコンテンツを必要に応じてＰＩＤのみ地方局１２１Ｂ用に変換して送出する。そして、ローカルコンテンツに切り替えてから（ローカルコンテンツ用のＥＣＭ−Ｋｗ送出を開始してから）所定時間（数秒間）を経過すると、自動番組管理装置３４からの指示に従ってステップＳ９９で、ローカルコンテンツに対するスクランブル処理を開始する。このスクランブル処理では、ローカル用ＥＣＭ−Ｋｗ生成部３５１が生成したローカルコンテンツ用のＥＣＭ−Ｋｗに含めたスクランブル鍵Ｋｓを使用する。
【０１４９】
つまり、放送用の信号をネット受コンテンツからローカルコンテンツに切り替えた時には、最初はノンスクランブル状態でローカルコンテンツを送出し、数秒間を経過してからスクランブルを開始する。また、ローカルコンテンツの番組が終了するまでステップＳ１００、Ｓ１０１が繰り返し実行される。実際に使用するスクランブル鍵Ｋｓは例えば数秒間を経過する毎に自動的に更新される。
【０１５０】
次に、図１２に示された動作、すなわち地方局１２１Ｂが放送するコンテンツをローカルコンテンツからネット受コンテンツに切り替える場合の動作について説明する。
【０１５１】
図１１に示した動作と同様に、ネット発局、すなわち主要局１０１では、前述のように権利保護放送用の制御メッセージＥＣＭ−Ｋｗとサーバ型放送用の制御メッセージＥＣＭ−Ｋｃとを生成し、コンテンツと多重化した後に、ＥＣＭに含めたスクランブル鍵Ｋｓでコンテンツをスクランブルした後、通信回線１１１を介して地方局１２１Ｂ宛に送出する（ステップＳ１１１〜Ｓ１１４）。
【０１５２】
ステップＳ１１６においては、地方局１２１Ｂが自局側で用意したローカルコンテンツを放送する場合を想定している。従って、ステップＳ１１６では地方局１２１Ｂは、自局内で用意したスクランブル鍵Ｋｓを用いて制御メッセージＥＣＭ−Ｋｗをローカル用ＥＣＭ−Ｋｗ生成部３５１で生成し送出する。また、ステップＳ１１７ではステップＳ１１６で生成した制御メッセージＥＣＭ−Ｋｗに含めたスクランブル鍵Ｋｓを用いて、スクランブル処理部３５２がローカルコンテンツに対してスクランブル処理を施す。送出すべきローカルコンテンツが終了するまでの間は、ステップＳ１１６、Ｓ１１７の処理が繰り返される。また、スクランブル処理に使用するスクランブル鍵Ｋｓは周期的に変更される。
【０１５３】
地方局１２１Ｂが放送中のローカルコンテンツが終了する予定時刻になると、自動番組管理装置３４がそれを検出し、ローカルコンテンツ放送終了の指示を自局内の各装置（デスクランブラ３１、スイッチャ３２、スクランブラ３５）に通知する。
【０１５４】
このローカルコンテンツ放送終了の指示に従って、スクランブラ３５内のスクランブル処理部３５２はステップＳ１１８でスクランブル処理を停止する。また、スクランブラ３５内のローカル用ＥＣＭ−Ｋｗ生成部３５１はステップＳ１１９で制御メッセージＥＣＭ−Ｋｗの送出を停止する。
【０１５５】
同時に、ローカルコンテンツ放送終了の指示に従って、デスクランブラ３１はステップＳ１２０で受信したネット受コンテンツに対するデスクランブル処理を開始する。また、スイッチャ３２はステップＳ１２１で放送用として出力する信号を、ローカルコンテンツからネット受コンテンツに切り替える。
【０１５６】
従って、地方局１２１Ｂが放送用の信号をローカルコンテンツからネット受コンテンツに切り替えた直後は、ネット受コンテンツの信号がノンスクランブル状態で地方局１２１Ｂから送出される。この信号には主要局１０１から受信した制御メッセージＥＣＭ−Ｋｗ、ＥＣＭ−Ｋｃも含まれている。
【０１５７】
また、地方局１２１Ｂが放送用の信号をローカルコンテンツからネット受コンテンツに切り替えてから所定時間（数秒間）を経過すると、デスクランブラ３１はステップＳ１２２でデスクランブル処理を停止する。デスクランブラ３１がデスクランブル処理を停止すると、スクランブル状態で地方局１２１Ｂが受信したネット受コンテンツが必要に応じてＰＩＤのみ地方局１２１Ｂ用に変換されて地方局１２１Ｂから送出される。
【０１５８】
つまり、第３の実施形態では、地方局１２１Ｂが放送用の信号をネット受コンテンツからローカルコンテンツに切り替えた直後、並びにローカルコンテンツからネット受コンテンツに切り替えた直後だけは、数秒間だけ一時的にノンスクランブル状態のコンテンツが放送される。
【０１５９】
第３の実施形態では、地方局１２１Ｂが放送するコンテンツとしてネット受コンテンツとローカルコンテンツとを切り替える際に、一時的にノンスクランブル状態のコンテンツを送出するので、切替時であっても実際のスクランブル処理に使用するスクランブル鍵Ｋｓと送出する制御メッセージＥＣＭの内容との整合性を維持することができる。しかも、切替の際に厳格な時刻制御を行う必要がないため、主要局１０１及び地方局１２１Ｂのそれぞれにおける設備費用の増加を抑制できる。
【０１６０】
なお、上記第３の実施形態において、図１０に示す各構成要素の機能並びに図１１及び図１２に示す各処理については、専用のハードウェアで実現することもできるし、マイクロプロセッサなどのコンピュータ上で予め用意したプログラムを実行することにより実現することも可能である。
【０１６１】
このように、地方局（第２の局）が送出するコンテンツを第１のコンテンツ（ネット受コンテンツ）から第２のコンテンツ（ローカルコンテンツ）に切り替えた後で、地方局が自分でスクランブル鍵情報を生成するので、第１のコンテンツに対するスクランブル処理と第２のコンテンツに対するスクランブル処理とを切り離して独立したスクランブル鍵で処理することができる。
【０１６２】
但し、現在のスクランブル処理に適用するスクランブル鍵Ｋｓ（１）と次の時点のスクランブル処理に適用するスクランブル鍵Ｋｓ（２）とを含めたＥＣＭ情報を送出する場合には、第１のコンテンツから第２のコンテンツへ切り替える際に、実際のスクランブル処理に適用するスクランブル鍵と送出されるＥＣＭ情報の内容との整合性に問題が生じることになる。そこで、スクランブル解除を行うステップにおいて、地方局が送出するコンテンツを第１のコンテンツから第２のコンテンツに切り替えた直後の所定期間（例えば数秒間）については、送出する第２のコンテンツのスクランブルを一時的に解除し、ノンスクランブル状態のコンテンツを送出する。これにより、スクランブル鍵とＥＣＭ情報の内容との不整合の問題は解消される。
【０１６３】
また、ここでは、第１のコンテンツに対するスクランブル処理と第２のコンテンツに対するスクランブル処理とを切り離して独立したスクランブル鍵で処理することを想定しているため、現在のスクランブル処理に適用するスクランブル鍵Ｋｓ（１）と次の時点のスクランブル処理に適用するスクランブル鍵Ｋｓ（２）とを含めたＥＣＭ情報を送出する場合には、第２のコンテンツから第１のコンテンツへ切り替える際に、実際のスクランブル処理に適用するスクランブル鍵と送出されるＥＣＭ情報の内容との整合性に問題が生じることになる。そこで、デスクランブル処理を行うステップにおいて、地方局が送出するコンテンツを第２のコンテンツから第１のコンテンツに切り替えた直後の所定期間（例えば数秒間）については、主要局（第１の局）から受信したスクランブル処理された第１のコンテンツをデスクランブル処理した結果、すなわちノンスクランブル状態のコンテンツを送出する。そして、前記所定期間を経過した後は、主要局から受信したスクランブル処理された第１のコンテンツを地方局が必要に応じてＰＩＤのみ地方局用に変換して送出する。これにより、スクランブル鍵とＥＣＭ情報の内容との不整合の問題は解消される。
【０１６４】
主要局のように第１のコンテンツを発信する発信局（第１の局）がサーバ型放送サービスを実施する場合には、発信局がスクランブル処理されたストリームとして第１のコンテンツを送出し、地方局のように第１のコンテンツを受信する受信局（第２の局）が受信したストリームと第１のＥＣＭ情報として受信する制御用メッセージ（ＥＣＭ−Ｋｃ、ＥＣＭ−Ｋｗ）を必要に応じてＰＩＤのみ受信局用に変換して送出すれば、地方局もサーバ型放送サービスを実施することができる。
【０１６５】
（第４の実施形態）
図１３は第４の実施形態における地方局の主要部の構成を示すブロック図である。第４の実施形態は第１の実施形態の変形例である。第１の実施形態と同一の構成及び動作については詳細な説明を省略する。
【０１６６】
第４の実施形態においても、図１及び図２に示すような通信システムに適用する場合を想定している。但し、第４の実施形態では、主要局で地方局が必要な全てのＥＣＭを生成すると共に、そのＥＣＭに含まれるスクランブル鍵Ｋｓを特定する情報を１セットの情報としてノンスクランブル状態のコンテンツと同時にネット送出し、地方局では主要局より受信したＥＣＭを地方局用に変換して送出すると同時に、指定されたスクランブル鍵Ｋｓを用いてネット受コンテンツ、ローカルコンテンツの区別無くスクランブル処理を行うように動作が変更されている。そのため、第４の実施形態の地方局１２１Ｃの構成は図１３に示すように変更されている。
【０１６７】
第４の実施形態の地方局１２１Ｃは、Ｋｓ情報・ＥＣＭ情報抽出部４１、スイッチャ４２、多重装置４３、自動番組管理装置（ＡＰＣ）４４及びスクランブラ４５を備えている。また、スクランブラ４５には、ＥＣＭ変換部４５１及びスクランブル処理部４５２が備わっている。
【０１６８】
この構成において、放送コンテンツを切り替えるスイッチャ４２の入力には、通信回線１１１を介して主要局１０１から配信されたネット受コンテンツ（ノンスクランブル状態のコンテンツ）と、コンテンツＤＢ１２２から入力されたローカルコンテンツ（ノンスクランブル状態のコンテンツ）とが入力される。
【０１６９】
自動番組管理装置４４は、コンテンツの放送時間の管理及び制御を行うために設けてある。自動番組管理装置４４の切替指示に従って、所定のタイミングでスイッチャ４２はネット受コンテンツとローカルコンテンツとのいずれか一方を放送対象として選択する。
【０１７０】
Ｋｓ情報・ＥＣＭ情報抽出部４１は、地方局１２１Ｃに入力されたネット受コンテンツの信号の中から、スクランブル鍵Ｋｓを特定する情報、権利保護放送用の制御メッセージＥＣＭ−Ｋｗを抽出する。また、送出中コンテンツがサーバ型放送サービスの対象であった場合はＥＣＭ−Ｋｃも抽出する。実際には、必要な情報を抽出するためにＫｓ情報・ＥＣＭ情報抽出部４１はＰＩＤフィルタを用いている。
【０１７１】
多重装置４３は、送出コンテンツを他のデータ（権利保護放送用ＥＣＭ等）と多重化するために設けてある。スクランブラ４５は、Ｋｓ情報・ＥＣＭ情報抽出部４１から受信したＥＣＭ−ＫｗやＥＣＭ−Ｋｃを地方局１２１Ｃ用に変換して送出したり、コンテンツをスクランブル処理したりするために設けてある。すなわち、スクランブラ４５内のＥＣＭ変換部４５１がＥＣＭ−Ｋｗ、ＥＣＭ−Ｋｃを地方局１２１Ｃ用に変換し、スクランブル処理部４５２が自動番組管理装置４４からの指示に従ってコンテンツのスクランブル処理を行う。
【０１７２】
ここで、主要局１０１及び地方局１２１Ｃの動作の概略を図１４に示す。図１４は第４の実施形態におけるスクランブル処理動作を示すシーケンス図である。
【０１７３】
地方局１２１Ｃが放送するコンテンツをスクランブル処理する際には、図１４に示す動作が実施される。
【０１７４】
ネット発局、すなわち主要局１０１では、前述のように権利保護放送用の制御メッセージＥＣＭ−Ｋｗとサーバ型放送用の制御メッセージＥＣＭ−Ｋｃとを生成し、スクランブル鍵Ｋｓを特定する情報・ＥＣＭ−Ｋｗ・ＥＣＭ−Ｋｃを１セットとしてコンテンツと多重化した後に、コンテンツをノンスクランブル状態で通信回線１１１を介して地方局１２１Ｃ宛に送出する。ここでスクランブル鍵Ｋｓを特定する情報とは、スクランブル鍵Ｋｓそのものでも良い（ステップＳ１３１〜Ｓ１３４）。
【０１７５】
図１４のステップＳ１３５において、地方局１２１Ｃが前記ネット受コンテンツの信号から、スクランブル鍵Ｋｓを特定する情報・ＥＣＭ−Ｋｗ・ＥＣＭ−ＫｃのセットをＫｓ情報・ＥＣＭ情報抽出部４１にて抽出し、ステップＳ１３６において、スクランブラ４５内のＥＣＭ変換部４５１が、抽出したＥＣＭを地方局１２１Ｃで送出するフォーマットに変換する。
【０１７６】
次に、地方局１２１Ｃでは、送出中のコンテンツがネット受けしたサーバ型放送サービスの対象のコンテンツであれば、ＥＣＭ−ＫｗとＥＣＭ−Ｋｃを、そうでなければ権利保護放送用のＥＣＭ−Ｋｗのみをスクランブラ４５から多重装置４３へ送出する。スクランブラ４５は、自動番組管理装置４４からの制御信号により、送出中のコンテンツがサーバ型放送サービス対象であるかどうかを判断する（ステップＳ１３７、Ｓ１３８、Ｓ１３９）。
【０１７７】
また、スクランブラ４５はＥＣＭを多重装置４３へ送出すると、スクランブル処理部４５２において、前記送出したＥＣＭに対応する、主要局１０１で指定されたスクランブル鍵Ｋｓを用いて送出コンテンツにスクランブル処理を実施する。
【０１７８】
つまり、送出するコンテンツの変更が自動番組管理装置４４からスクランブラ４５へ通知されると、スクランブラ４５では主要局１０１から受信したＥＣＭ情報のうち、必要なＥＣＭのみを地方局１２１Ｃ用フォーマットに変換して送出し、主要局１０１から同時に受信したそのＥＣＭに含まれているスクランブル鍵Ｋｓを用いてスクランブル処理を施すことになる。
【０１７９】
第４の実施形態では、主要局１０１がスクランブル鍵Ｋｓとそのスクランブル鍵Ｋｓを暗号化したＥＣＭ情報とを１セットとして地方局１２１Ｃへ送出し、ネット受コンテンツ及びローカルコンテンツをともに地方局１２１Ｃが放送するコンテンツとして、地方局１２１ＣでＥＣＭ送出とスクランブル処理を実施するようにしている。このため、スクランブル鍵ＫｓとＥＣＭの整合性を維持することができ、かつ、主要局から地方局へのコンテンツ送出形態を、現行実施されているノンスクランブル状態のままとできるため、システムの移行期間中にノンスクランブル状態のコンテンツとスクランブル状態のコンテンツの２つを送出するような事態を避けることが可能となる。
【０１８０】
なお、上記第４の実施形態において、図１３に示す各構成要素の機能並びに図１４に示す各処理については、専用のハードウェアで実現することもできるし、マイクロプロセッサなどのコンピュータ上で予め用意したプログラムを実行することにより実現することも可能である。
【０１８１】
主要局のように第１のコンテンツを発信する発信局（第１の局）がサーバ型放送サービスを実施する場合には、発信局が第１のコンテンツとスクランブル鍵Ｋｓを特定する情報とそのスクランブル鍵Ｋｓを暗号化したＥＣＭ情報を送出し、地方局のように第１のコンテンツを受信する受信局（第２の局）が受信したストリームと第１のＥＣＭ情報として受信する制御用メッセージ（ＥＣＭ−Ｋｃ、ＥＣＭ−Ｋｗ）を第２の局用に変換して送出し、そのＥＣＭとセットで受信したスクランブル鍵Ｋｓを用いてコンテンツをスクランブル処理することで、地方局もサーバ型放送サービスを実施することができる。
【０１８２】
なお、上述した各実施形態においては、自動番組管理装置（ＡＰＣ）１４、２４、３４、４４を用いてコンテンツの切替制御を実施しているが、他の制御装置が切替を制御するように構成を変更しても良い。
【０１８３】
本実施形態によれば、地方局等がコンテンツの切替を実施する場合に、視聴者側の受信機でのデスクランブル処理を滞らせないために、現在のスクランブル処理に適用しているスクランブル鍵だけでなく、次スクランブル鍵も同時に送出する現行のＥＣＭ送出方式に従って処理を実施する場合であっても、地方局等にコンテンツ鍵Ｋｃを管理する装置を設けることなく、地方局等がコンテンツを切り替える際の実際のスクランブル鍵と制御メッセージであるＥＣＭ情報の内容との整合性を維持することができる。これにより、地方局等が主要局等から受信したコンテンツ（第１のコンテンツ）とローカルコンテンツ（第２のコンテンツ）とを切り替える場合であっても、スクランブル鍵とＥＣＭ情報との不整合の問題を解消することができ、視聴者側の受信機におけるデスクランブル処理を正しく行うことができる。
【０１８４】
また、主要局等の側でサーバ型放送サービス用のＥＣＭ情報（ＥＣＭ−Ｋｃ）を生成・送出するので、サーバ型放送サービスを実施する場合であっても、主要局等から受信した番組だけを放送するような地方局等においては、コンテンツ鍵Ｋｃを管理する必要がなく、管理用の装置を設ける必要がなくなる。このため、主要局等から配信された番組のコンテンツだけを利用してサーバ型放送サービスを実施するような小規模の放送局については、非常に安価に実現することが可能になる。従って、ディジタル放送におけるサーバ型放送サービスの、コンテンツ著作権保護のためのスクランブル処理等として本発明は利用価値が高い。
【産業上の利用可能性】
【０１８５】
本発明は、通信網に接続された主要局などの第１の局から受信した番組だけを放送する地方局などの第２の局におけるコンテンツ鍵Ｋｃの管理を不要にするとともに、第２の局が第１の局から受信したコンテンツとローカルコンテンツとを切り替える場合であっても、視聴者側の受信機におけるデスクランブル処理を正しく行うことが可能となる効果を有し、サーバ型放送サービス等、ディジタル放送におけるコンテンツ著作権保護のためのスクランブル処理を行うもので、所定の通信網を介してコンテンツを送出する通信システムに用いられる送出コンテンツスクランブル制御方法及び装置等に有用である。
【図面の簡単な説明】
【０１８６】
【図１】本発明の実施形態に係る通信システムの構成例を示すブロック図
【図２】本発明の実施形態に係る主要局の要部の構成例を示すブロック図
【図３】本実施形態におけるコンテンツとスクランブル鍵の具体例を示すタイムチャート
【図４】第１の実施形態における地方局の主要部の構成を示すブロック図
【図５】第１の実施形態におけるネット受コンテンツからローカルコンテンツへの切替動作を示すシーケンス図
【図６】第１の実施形態におけるローカルコンテンツからネット受コンテンツへの切替動作を示すシーケンス図
【図７】第２の実施形態における地方局の主要部の構成を示すブロック図
【図８】第２の実施形態におけるネット受コンテンツからローカルコンテンツへの切替動作を示すシーケンス図
【図９】第２の実施形態におけるローカルコンテンツからネット受コンテンツへの切替動作を示すシーケンス図
【図１０】第３の実施形態における地方局の主要部の構成を示すブロック図
【図１１】第３の実施形態におけるネット受コンテンツからローカルコンテンツへの切替動作を示すシーケンス図
【図１２】第３の実施形態におけるローカルコンテンツからネット受コンテンツへの切替動作を示すシーケンス図
【図１３】第４の実施形態における地方局の主要部の構成を示すブロック図
【図１４】第４の実施形態における地方局でのスクランブル処理動作を示すシーケンス図
【符号の説明】
【０１８７】
１１  ＥＣＭ−Ｋｗ抽出部
１２、２２、３２、４２  スイッチャ
１３、２３、３３、４３  多重装置
１４、２４、３４、４４  自動番組管理装置（ＡＰＣ）
１５、２５、３５、４５  スクランブラ
２１  ネットキュー信号取り出し部
３１  デスクランブラ
４１  Ｋｓ情報・ＥＣＭ情報抽出部
１０１  主要局
１０２  コンテンツＤＢ
１１１  通信回線
１２１、１２１Ａ、１２１Ｂ  地方局
１２２  コンテンツＤＢ
１３１、１３２、１３３  視聴者側受信局
１５１、２５１、３５１  ローカル用ＥＣＭ−Ｋｗ生成部
１５２、２５２、３５２  スクランブル処理部
１５３  ネット受ＥＣＭ−Ｋｗ復号部
２０１  スクランブラ
２０２  スクランブル鍵管理部
２０３  ＥＣＭ生成部
２０４  ワーク鍵保持部
２０５  コンテンツ鍵管理部
２０６  多重装置
２５３  次コンテンツ先頭Ｋｓ抽出部
【図１】
2006311341.tif 000003
【図２】
2006311341.tif 000004
【図３】
2006311341.tif 000005
【図４】
2006311341.tif 000006
【図５】
2006311341.tif 000007
【図６】
2006311341.tif 000008
【図７】
2006311341.tif 000009
【図８】
2006311341.tif 000010
【図９】
2006311341.tif 000011
【図１０】
2006311341.tif 000012
【図１１】
2006311341.tif 000013
【図１２】
2006311341.tif 000014
【図１３】
2006311341.tif 000015
【図１４】
2006311341.tif 000016